(57)【特許請求の範囲】
【請求項１】
端末装置であって、
制御部を備え、
前記制御部は、
複数のサービングセルによって前記端末装置を構成するためのシグナリングを受信し、
前記シグナリングによって、少なくとも第１のアップリンク／ダウンリンク（ＵＬ／ＤＬ）構成を受信し、
前記複数のサービングセルの各々は前記第１のアップリンク／ダウンリンク（ＵＬ／ＤＬ）構成によって構成され、
前記制御部は、さらに
サービングセルに対するダウンリンク（ＤＬ）−参照ＵＬ／ＤＬ構成を確定し、かつ
前記ＤＬ−参照ＵＬ／ＤＬ構成に基づく、物理ダウンリンク共有チャネル（ＰＤＳＣＨ）ＨＡＲＱ−ＡＣＫ情報を送り、
もし前記サービングセルがセカンダリセルであり、かつ動的ＵＬ／ＤＬ再構成を可能にする付加的情報をシグナリングによって受信し、前記サービングセルが前記付加的情報によって構成されていれば、プライマリセルＵＬ／ＤＬ構成およびセカンダリセルＵＬ／ＤＬ構成によって形成される対に基づいて前記ＤＬ−参照ＵＬ／ＤＬ構成は確定され、前記セカンダリセルＵＬ／ＤＬ構成は、少なくとも前記サービングセルに対する前記付加的情報に含まれるＵＬ／ＤＬ構成に基づいて確定される、端末装置。
【請求項２】
もしプライマリセルが動的ＵＬ／ＤＬ再構成を可能にする前記付加的情報によって構成されていなければ、前記プライマリセルＵＬ／ＤＬ構成は前記プライマリセルの前記第１のＵＬ／ＤＬ構成である、請求項１に記載の端末装置。
【請求項３】
もしプライマリセルが動的ＵＬ／ＤＬ再構成を可能にする付加的情報によって構成されていれば、前記プライマリセルＵＬ／ＤＬ構成は、少なくとも前記プライマリセルに対する前記付加的情報に基づいて確定される、請求項１に記載の端末装置。
【請求項４】
もし前記サービングセルがプライマリセルであり、かつ動的ＵＬ／ＤＬ再構成を可能にする付加的情報によって構成されていれば、少なくとも前記サービングセルに対する前記付加的情報に基づいて前記ＤＬ−参照ＵＬ／ＤＬ構成を確定し、前記付加的情報はＵＬ／ＤＬ構成を含む、請求項１に記載の端末装置。
【請求項５】
もし前記サービングセルがプライマリセルであり、かつ動的ＵＬ／ＤＬ再構成を可能にする付加的情報によって構成されていなければ、前記サービングセルに対する前記第１のＵＬ／ＤＬ構成に基づいて前記ＤＬ−参照ＵＬ／ＤＬ構成を確定する、請求項１に記載の端末装置。
【請求項６】
基地局であって、
制御部を備え、
前記制御部は、
複数のサービングセルによって端末装置を構成するためのシグナリングを送り、
前記シグナリングによって、少なくとも第１のアップリンク／ダウンリンク（ＵＬ／ＤＬ）構成を送信し、
前記複数のサービングセルの各々は前記第１のアップリンク／ダウンリンク（ＵＬ／ＤＬ）構成によって構成されており、
前記制御部は、さらに、
サービングセルに対するダウンリンク（ＤＬ）−参照ＵＬ／ＤＬ構成を確定し、かつ
前記ＤＬ−参照ＵＬ／ＤＬ構成に基づく、物理ダウンリンク共有チャネル（ＰＤＳＣＨ）ＨＡＲＱ−ＡＣＫ情報を受信し、
もし前記サービングセルがセカンダリセルであり、かつ動的ＵＬ／ＤＬ再構成を可能にする付加的情報をシグナリングによって送信し、前記サービングセルが前記付加的情報によって構成されていれば、プライマリセルＵＬ／ＤＬ構成およびセカンダリセルＵＬ／ＤＬ構成によって形成される対に基づいて前記ＤＬ−参照ＵＬ／ＤＬ構成は確定され、前記セカンダリセルＵＬ／ＤＬ構成は、少なくとも前記サービングセルに対する前記付加的情報に含まれるＵＬ／ＤＬ構成に基づいて確定される、基地局。
【請求項７】
もしプライマリセルが動的ＵＬ／ＤＬ再構成を可能にする付加的情報によって構成されていなければ、前記プライマリセルＵＬ／ＤＬ構成は前記プライマリセルの前記第１のＵＬ／ＤＬ構成である、請求項６に記載の基地局。
【請求項８】
もしプライマリセルが動的ＵＬ／ＤＬ再構成を可能にする付加的情報によって構成されていれば、前記プライマリセルＵＬ／ＤＬ構成は、少なくとも前記プライマリセルに対する前記付加的情報に基づいて確定される、請求項６に記載の基地局。
【請求項９】
もし前記サービングセルがプライマリセルであり、かつ動的ＵＬ／ＤＬ再構成を可能にする付加的情報によって構成されていれば、少なくとも前記サービングセルに対する前記付加的情報に基づいて前記ＤＬ−参照ＵＬ／ＤＬ構成を確定し、前記付加的情報はＵＬ／ＤＬ構成を含む、請求項６に記載の基地局。
【請求項１０】
もし前記サービングセルがプライマリセルであり、かつ動的ＵＬ／ＤＬ再構成を可能にする付加的情報によって構成されていなければ、前記サービングセルに対する前記第１のＵＬ／ＤＬ構成に基づいて前記ＤＬ−参照ＵＬ／ＤＬ構成を確定する、請求項６に記載の基地局。
【請求項１１】
端末装置によって実行される方法であって、
複数のサービングセルによって前記端末装置を構成するためのシグナリングを受信し、
前記シグナリングによって、少なくとも第１のアップリンク／ダウンリンク（ＵＬ／ＤＬ）構成を受信し、
前記複数のサービングセルの各々は前記第１のアップリンク／ダウンリンク（ＵＬ／ＤＬ）構成によって構成されており、
前記端末装置によって実行される方法は、さらに、
サービングセルに対するダウンリンク（ＤＬ）−参照ＵＬ／ＤＬ構成を確定し、
前記ＤＬ−参照ＵＬ／ＤＬ構成に基づく、物理ダウンリンク共有チャネル（ＰＤＳＣＨ）ＨＡＲＱ−ＡＣＫ情報を送り、
もし前記サービングセルがセカンダリセルであり、かつ動的ＵＬ／ＤＬ再構成を可能にする付加的情報をシグナリングによって受信し、前記サービングセルが前記付加的情報によって構成されていれば、プライマリセルＵＬ／ＤＬ構成およびセカンダリセルＵＬ／ＤＬ構成によって形成される対に基づいて前記ＤＬ−参照ＵＬ／ＤＬ構成は確定され、前記セカンダリセルＵＬ／ＤＬ構成は、少なくとも前記サービングセルに対する付加的情報に含まれるＵＬ／ＤＬ構成に基づいて確定される、方法。
【請求項１２】
もしプライマリセルが動的ＵＬ／ＤＬ再構成を可能にする付加的情報によって構成されていなければ、前記プライマリセルＵＬ／ＤＬ構成は前記プライマリセルの前記第１のＵＬ／ＤＬ構成である、請求項１１に記載の方法。
【請求項１３】
もしプライマリセルが動的ＵＬ／ＤＬ再構成を可能にする付加的情報によって構成されていれば、前記プライマリセルＵＬ／ＤＬ構成は、少なくとも前記プライマリセルに対する前記付加的情報に基づいて確定される、請求項１１に記載の方法。
【請求項１４】
もし前記サービングセルがプライマリセルであり、かつ動的ＵＬ／ＤＬ再構成を可能にする付加的情報によって構成されていれば、少なくとも前記サービングセルに対する前記付加的情報に基づいて前記ＤＬ−参照ＵＬ／ＤＬ構成を確定し、前記付加的情報はＵＬ／ＤＬ構成を含む、請求項１１に記載の方法。
【請求項１５】
もし前記サービングセルがプライマリセルであり、かつ動的ＵＬ／ＤＬ再構成を可能にする付加的情報によって構成されていなければ、前記サービングセルに対する前記第１のＵＬ／ＤＬ構成に基づいて前記ＤＬ−参照ＵＬ／ＤＬ構成を確定する、請求項１１に記載の方法。
【請求項１６】
基地局によって実行される方法であって、
複数のサービングセルによって端末装置を構成するためのシグナリングを送り、
前記シグナリングによって、少なくとも第１のアップリンク／ダウンリンク（ＵＬ／ＤＬ）構成を送信し、
前記複数のサービングセルの各々は前記第１のアップリンク／ダウンリンク（ＵＬ／ＤＬ）構成によって構成されており、
前記基地局によって実行される方法は、さらに、
サービングセル対するダウンリンク（ＤＬ）−参照ＵＬ／ＤＬ構成を確定し、
前記ＤＬ−参照ＵＬ／ＤＬ構成に基づく、物理ダウンリンク共有チャネル（ＰＤＳＣＨ）ＨＡＲＱ−ＡＣＫ情報を受信し、
もし前記サービングセルがセカンダリセルであり、かつ動的ＵＬ／ＤＬ再構成を可能にする付加的情報をシグナリングによって送信し、前記サービングセルが前記付加的情報によって構成されていれば、プライマリセルＵＬ／ＤＬ構成およびセカンダリセルＵＬ／ＤＬ構成によって形成される対に基づいて前記ＤＬ−参照ＵＬ／ＤＬ構成は確定され、前記セカンダリセルＵＬ／ＤＬ構成は、少なくとも前記サービングセルに対する前記付加的情報に含まれるＵＬ／ＤＬ構成に基づいて確定される、方法。
【請求項１７】
もしプライマリセルが動的ＵＬ／ＤＬ再構成を可能にする付加的情報によって構成されていなければ、前記プライマリセルＵＬ／ＤＬ構成は前記プライマリセルの前記第１のＵＬ／ＤＬ構成である、請求項１６に記載の方法。
【請求項１８】
もしプライマリセルが動的ＵＬ／ＤＬ再構成を可能にする付加的情報によって構成されていれば、前記プライマリセルＵＬ／ＤＬ構成は、少なくとも前記プライマリセルに対する前記付加的情報に基づいて確定される、請求項１６に記載の方法。
【請求項１９】
もし前記サービングセルがプライマリセルであり、かつ動的ＵＬ／ＤＬ再構成を可能にする付加的情報によって構成されていれば、少なくとも前記サービングセルに対する前記付加的情報に基づいて前記ＤＬ−参照ＵＬ／ＤＬ構成は確定され、前記付加的情報はＵＬ／ＤＬ構成を含む、請求項１６に記載の方法。
【請求項２０】
もし前記サービングセルがプライマリセルであり、かつ動的ＵＬ／ＤＬ再構成を可能にする付加的情報によって構成されていなければ、前記サービングセルに対する前記第１のＵＬ／ＤＬ構成に基づいて前記ＤＬ−参照ＵＬ／ＤＬ構成を確定する、請求項１６に記載の方法。
【発明の詳細な説明】
【技術分野】
【０００１】
本開示は一般的に、通信システムに関する。より特定的には、本開示はフィードバックレポートのためのシステムおよび方法に関する。
【背景技術】
【０００２】
ワイヤレス通信デバイスは、消費者の要求を満たすため、ならびに可搬性および利便性を改善するために、より小型かつ強力になってきている。消費者はワイヤレス通信デバイスに依存するようになっており、信頼性の高いサービス、カバレッジ範囲の拡大、および機能性の向上を期待している。ワイヤレス通信システムは、いくつかのワイヤレス通信デバイスに対する通信を提供してもよく、ワイヤレス通信デバイスの各々は基地局によってサービスされてもよい。基地局は、ワイヤレス通信デバイスと通信するデバイスであってもよい。
【発明の概要】
【発明が解決しようとする課題】
【０００３】
ワイヤレス通信デバイスが進歩するとともに、通信容量、速度、柔軟性および／または効率の改善が求められてきた。しかし、通信容量、速度、柔軟性および／または効率を改善することによって特定の問題が生じることがある。
【０００４】
たとえば、ワイヤレス通信デバイスは通信構造を用いて１つまたはそれ以上のデバイスと通信してもよい。しかし、使用される通信構造は、限られた柔軟性および／または効率しか提供しないことがある。この考察によって示されるとおり、通信の柔軟性および／または効率を改善するシステムおよび方法が有益であり得る。
【課題を解決するための手段】
【０００５】
本発明に従うと、ユーザ機器（ｕｓｅｒ  ｅｑｕｉｐｍｅｎｔ：ＵＥ）が提供され、このユーザ機器は、
プロセッサと、
このプロセッサと電子通信を行うメモリとを含み、このメモリに保存される命令は以下のことを行うために実行可能であり、すなわち、
複数のサービングセルによってＵＥを構成するためのシグナリングを受信し、複数のサービングセルの各々は第１のアップリンク／ダウンリンク（ｕｐｌｉｎｋ／ｄｏｗｎｌｉｎｋ：ＵＬ／ＤＬ）構成を有し、もしＵＥが複数のサービングセルによって構成されており、かつそのサービングセルの少なくとも１つが動的ＵＬ／ＤＬ再構成を可能にして構成されていれば、
サービングセルの各々に対するダウンリンク（ＤＬ）−参照ＵＬ／ＤＬ構成を定め、かつ
そのＤＬ−参照ＵＬ／ＤＬ構成に基づく、物理ダウンリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）ハイブリッド自動再送要求確認／否定確認（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ：ＨＡＲＱ−ＡＣＫ）情報を送り、
もしサービングセルがセカンダリセルであり、かつ動的ＵＬ／ＤＬ再構成を可能にして構成されていれば、そのサービングセルに対するＤＬ−参照ＵＬ／ＤＬ構成を定めることは、プライマリセルＵＬ／ＤＬ構成およびセカンダリセルＵＬ／ＤＬ構成によって形成される対に基づいてＤＬ−参照ＵＬ／ＤＬ構成を定めることを含み、セカンダリセルＵＬ／ＤＬ構成は、少なくともそのサービングセルに対する付加的再構成情報に基づいて定められ、その付加的再構成情報はＵＬ／ＤＬ構成であって、動的ＵＬ／ＤＬ再構成を可能にする。
【０００６】
本発明に従うと、進化型ノードＢ（ｅｖｏｌｖｅｄ  Ｎｏｄｅ  Ｂ：ｅＮＢ）が提供され、この進化型ノードＢは、
プロセッサと、
このプロセッサと電子通信を行うメモリとを含み、このメモリに保存される命令は以下のことを行うために実行可能であり、すなわち、
複数のサービングセルによってユーザ機器（ＵＥ）を構成するためのシグナリングを送り、複数のサービングセルの各々は第１のアップリンク／ダウンリンク（ＵＬ／ＤＬ）構成を有し、もしサービングセルの少なくとも１つが動的ＵＬ／ＤＬ再構成を可能にして構成されていれば、
サービングセルの各々に対するダウンリンク（ＤＬ）−参照ＵＬ／ＤＬ構成を定め、
そのＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を受信し、
もしサービングセルがセカンダリセルであり、かつ動的ＵＬ／ＤＬ再構成を可能にして構成されていれば、そのサービングセルに対するＤＬ−参照ＵＬ／ＤＬ構成を定めることは、プライマリセルＵＬ／ＤＬ構成およびセカンダリセルＵＬ／ＤＬ構成によって形成される対に基づいてＤＬ−参照ＵＬ／ＤＬ構成を定めることを含み、セカンダリセルＵＬ／ＤＬ構成は、少なくともそのサービングセルに対する付加的再構成情報に基づいて定められ、その付加的再構成情報はＵＬ／ＤＬ構成であって、動的ＵＬ／ＤＬ再構成を可能にする。
【０００７】
本発明に従うと、ユーザ機器（ＵＥ）によって実行される方法が提供され、この方法は、
複数のサービングセルによってＵＥを構成するためのシグナリングを受信するステップであって、複数のサービングセルの各々は第１のアップリンク／ダウンリンク（ＵＬ／ＤＬ）構成を有する、ステップと、もしＵＥが複数のサービングセルによって構成されており、かつそのサービングセルの少なくとも１つが動的ＵＬ／ＤＬ再構成を可能にして構成されていれば、
サービングセルの各々に対するダウンリンク（ＤＬ）−参照ＵＬ／ＤＬ構成を定めるステップと、
そのＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を送るステップとを含み、
もしサービングセルがセカンダリセルであり、かつ動的ＵＬ／ＤＬ再構成を可能にして構成されていれば、そのサービングセルに対するＤＬ−参照ＵＬ／ＤＬ構成を定めるステップは、プライマリセルＵＬ／ＤＬ構成およびセカンダリセルＵＬ／ＤＬ構成によって形成される対に基づいてＤＬ−参照ＵＬ／ＤＬ構成を定めるステップを含み、セカンダリセルＵＬ／ＤＬ構成は、少なくともそのサービングセルに対する付加的再構成情報に基づいて定められ、その付加的再構成情報はＵＬ／ＤＬ構成であって、動的ＵＬ／ＤＬ再構成を可能にする。
【０００８】
本発明に従うと、進化型ノードＢ（ｅＮＢ）によって実行される方法が提供され、この方法は、
複数のサービングセルによってユーザ機器（ＵＥ）を構成するためのシグナリングを送るステップであって、複数のサービングセルの各々は第１のアップリンク／ダウンリンク（ＵＬ／ＤＬ）構成を有する、ステップと、もしサービングセルの少なくとも１つが動的ＵＬ／ＤＬ再構成を可能にして構成されていれば、
サービングセルの各々に対するダウンリンク（ＤＬ）−参照ＵＬ／ＤＬ構成を定めるステップと、
そのＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を受信するステップとを含み、
もしサービングセルがセカンダリセルであり、かつ動的ＵＬ／ＤＬ再構成を可能にして構成されていれば、そのサービングセルに対するＤＬ−参照ＵＬ／ＤＬ構成を定めるステップは、プライマリセルＵＬ／ＤＬ構成およびセカンダリセルＵＬ／ＤＬ構成によって形成される対に基づいてＤＬ−参照ＵＬ／ＤＬ構成を定めるステップを含み、セカンダリセルＵＬ／ＤＬ構成は、少なくともそのサービングセルに対する付加的再構成情報に基づいて定められ、その付加的再構成情報はＵＬ／ＤＬ構成であって、動的ＵＬ／ＤＬ再構成を可能にする。
【図面の簡単な説明】
【０００９】
【図１】図１は、フィードバックレポートのためのシステムおよび方法が実現され得る１つまたはそれ以上の進化型ノードＢ（ｅＮＢ）および１つまたはそれ以上のユーザ機器（ＵＥ）の１つの構成を示すブロック図である。
【図２】図２は、ＵＥによってフィードバックを送るための方法の一実施を示す流れ図である。
【図３】図３は、ｅＮＢによってフィードバックを受信するための方法の一実施を示す流れ図である。
【図４】図４は、本明細書に開示されるシステムおよび方法に従って用いられ得る無線フレームの一例を示す図である。
【図５】図５は、本明細書に記載されるシステムおよび方法に従う、いくつかの時分割二重（ｔｉｍｅ−ｄｉｖｉｓｉｏｎ  ｄｕｐｌｅｘｉｎｇ：ＴＤＤ）アップリンク／ダウンリンク（ＵＬ／ＤＬ）構成を示す図である。
【図６】図６は、プライマリセル（ｐｒｉｍａｒｙ  ｃｅｌｌ：ＰＣｅｌｌ）に対するＤＬ−参照ＵＬ／ＤＬ構成を定めるための方法の一実施を示す流れ図である。
【図７】図７は、プライマリセル（ＰＣｅｌｌ）に対するＤＬ−参照ＵＬ／ＤＬ構成を定めるための方法の別の実施を示す流れ図である。
【図８】図８は、セカンダリセル（ｓｅｃｏｎｄａｒｙ  ｃｅｌｌ：ＳＣｅｌｌ）に対するＤＬ−参照ＵＬ／ＤＬ構成を定めるための方法の一実施を示す流れ図である。
【図９】図９は、セカンダリセル（ＳＣｅｌｌ）に対するＤＬ−参照ＵＬ／ＤＬ構成を定めるための方法の別の実施を示す流れ図である。
【図１０】図１０は、ＵＥにおいて用いられ得るさまざまなコンポーネントを示す図である。
【図１１】図１１は、ｅＮＢにおいて用いられ得るさまざまなコンポーネントを示す図である。
【図１２】図１２は、フィードバックレポートのためのシステムおよび方法が実現され得るＵＥの１つの構成を示すブロック図である。
【図１３】図１３は、フィードバックレポートのためのシステムおよび方法が実現され得るｅＮＢの１つの構成を示すブロック図である。
【発明を実施するための形態】
【００１０】
フィードバックを送るためのユーザ機器（ＵＥ）について説明する。このＵＥはプロセッサと、このプロセッサと電子通信を行うメモリとを含む。メモリには実行可能な命令が保存される。ＵＥは、サービングセルの各々に対する第１のアップリンク／ダウンリンク（ＵＬ／ＤＬ）構成を有する複数のサービングセルによってＵＥを構成するためのシグナリングを受信する。ＵＥが複数のサービングセルによって構成されており、かつそのサービングセルの少なくとも１つが動的ＵＬ／ＤＬ再構成を可能にする付加的再構成情報によって構成されているとき、ＵＥはさらに、その少なくとも１つのサービングセルの第１のＵＬ／ＤＬ構成およびその少なくとも１つのサービングセルの付加的再構成情報に基づいて、サービングセルの少なくとも１つに対するダウンリンク（ＤＬ）−参照ＵＬ／ＤＬ構成を定める。ＵＥはさらに、そのＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を送る。
【００１１】
少なくとも１つのサービングセルがセカンダリセルであるとき、その少なくとも１つのサービングセルに対するＤＬ−参照ＵＬ／ＤＬ構成を定めるステップは、プライマリセルＵＬ／ＤＬ構成およびセカンダリセルＵＬ／ＤＬ構成によって形成される対に基づいてＤＬ−参照ＵＬ／ＤＬ構成を定めるステップを含んでもよい。セカンダリセルＵＬ／ＤＬ構成は、その少なくとも１つのサービングセルの第１のＵＬ／ＤＬ構成および付加的再構成情報に基づいて定められてもよい。
【００１２】
プライマリセルＵＬ／ＤＬ構成は、プライマリセルの第１のＵＬ／ＤＬ構成に基づいて定められてもよい。プライマリセルＵＬ／ＤＬ構成は、プライマリセルの第１のＵＬ／ＤＬ構成と、プライマリセルの付加的再構成情報とに基づいて定められてもよい。
【００１３】
少なくとも１つのサービングセルがプライマリセルであるとき、ＤＬ−参照ＵＬ／ＤＬ構成を定めるステップは、その少なくとも１つのサービングセルの第１のＵＬ／ＤＬ構成および付加的再構成情報に基づいてＤＬ−参照ＵＬ／ＤＬ構成を定めるステップを含んでもよい。複数のサービングセルのうちの２つまたはそれ以上が、異なる第１のＵＬ／ＤＬ構成を有してもよい。
【００１４】
さらに、フィードバックを受信するための進化型ノードＢ（ｅＮＢ）について説明する。このｅＮＢはプロセッサと、このプロセッサと電子通信を行うメモリとを含む。メモリには実行可能な命令が保存される。ｅＮＢは、サービングセルの各々に対する第１のアップリンク／ダウンリンク（ＵＬ／ＤＬ）構成を有する複数のサービングセルによってユーザ機器（ＵＥ）を構成するためのシグナリングを送る。サービングセルの少なくとも１つが動的ＵＬ／ＤＬ再構成を可能にする付加的再構成情報によって構成されているとき、ｅＮＢはさらに、その少なくとも１つのサービングセルの第１のＵＬ／ＤＬ構成およびその少なくとも１つのサービングセルの付加的再構成情報に基づいて、サービングセルの少なくとも１つに対するダウンリンク（ＤＬ）−参照ＵＬ／ＤＬ構成を定める。ｅＮＢはさらに、そのＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を受信する。
【００１５】
少なくとも１つのサービングセルがセカンダリセルであるとき、その少なくとも１つのサービングセルに対するＤＬ−参照ＵＬ／ＤＬ構成を定めるステップは、プライマリセルＵＬ／ＤＬ構成およびセカンダリセルＵＬ／ＤＬ構成によって形成される対に基づいてＤＬ−参照ＵＬ／ＤＬ構成を定めるステップを含んでもよい。セカンダリセルＵＬ／ＤＬ構成は、その少なくとも１つのサービングセルの第１のＵＬ／ＤＬ構成および付加的再構成情報に基づいて定められてもよい。
【００１６】
プライマリセルＵＬ／ＤＬ構成は、プライマリセルの第１のＵＬ／ＤＬ構成に基づいて定められてもよい。プライマリセルＵＬ／ＤＬ構成は、プライマリセルの第１のＵＬ／ＤＬ構成と、プライマリセルの付加的再構成情報とに基づいて定められてもよい。
【００１７】
少なくとも１つのサービングセルがプライマリセルであるとき、ＤＬ−参照ＵＬ／ＤＬ構成を定めるステップは、その少なくとも１つのサービングセルの第１のＵＬ／ＤＬ構成および付加的再構成情報に基づいてＤＬ−参照ＵＬ／ＤＬ構成を定めるステップを含んでもよい。複数のサービングセルのうちの２つまたはそれ以上が、異なる第１のＵＬ／ＤＬ構成を有してもよい。
【００１８】
さらに、ＵＥによってフィードバックを送るための方法について説明する。この方法は、サービングセルの各々に対する第１のアップリンク／ダウンリンク（ＵＬ／ＤＬ）構成を有する複数のサービングセルによってＵＥを構成するためのシグナリングを受信するステップを含む。ＵＥが複数のサービングセルによって構成されており、かつそのサービングセルの少なくとも１つが動的ＵＬ／ＤＬ再構成を可能にする付加的再構成情報によって構成されているとき、この方法はさらに、その少なくとも１つのサービングセルの第１のＵＬ／ＤＬ構成およびその少なくとも１つのサービングセルの付加的再構成情報に基づいて、サービングセルの少なくとも１つに対するダウンリンク（ＤＬ）−参照ＵＬ／ＤＬ構成を定めるステップを含む。この方法はさらに、そのＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を送るステップを含む。
【００１９】
さらに、ｅＮＢによってフィードバックを受信するための方法について説明する。この方法は、サービングセルの各々に対する第１のアップリンク／ダウンリンク（ＵＬ／ＤＬ）構成を有する複数のサービングセルによってユーザ機器（ＵＥ）を構成するためのシグナリングを送るステップを含む。サービングセルの少なくとも１つが動的ＵＬ／ＤＬ再構成を可能にする付加的再構成情報によって構成されているとき、この方法はさらに、その少なくとも１つのサービングセルの第１のＵＬ／ＤＬ構成およびその少なくとも１つのサービングセルの付加的再構成情報に基づいて、サービングセルの少なくとも１つに対するダウンリンク（ＤＬ）−参照ＵＬ／ＤＬ構成を定めるステップを含む。この方法はさらに、そのＤＬ−参照ＵＬ／ＤＬ構成に基づく、物理ダウンリンク共有チャネル（ＰＤＳＣＨ）ハイブリッド自動再送要求確認／否定確認（ＨＡＲＱ−ＡＣＫ）情報を受信するステップを含む。
【００２０】
「３ＧＰＰ」とも呼ばれる第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ）は、第３世代および第４世代ワイヤレス通信システムに対する世界的に適用可能な技術仕様および技術報告を規定することを目的とした共同協定である。３ＧＰＰは、次世代のモバイルネットワーク、システムおよびデバイスに対する仕様を規定し得る。
【００２１】
３ＧＰＰロングタームエボリューション（Ｌｏｎｇ  Ｔｅｒｍ  Ｅｖｏｌｕｔｉｏｎ：ＬＴＥ）は、ユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）のモバイル電話またはデバイスの規格を、将来の要求に対処するために改善するためのプロジェクトに与えられた名前である。１つの局面において、ＵＭＴＳは、進化型ユニバーサル地上無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：Ｅ−ＵＴＲＡ）および進化型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：Ｅ−ＵＴＲＡＮ）に対するサポートおよび仕様を提供するように修正されてきた。
【００２２】
本明細書において開示されるシステムおよび方法の少なくともいくつかの局面は、３ＧＰＰ  ＬＴＥ、ＬＴＥ−アドバンスト（ＬＴＥ−Ａｄｖａｎｃｅｄ：ＬＴＥ−Ａ）およびその他の規格（例、３ＧＰＰリリース８、９、１０および／または１１）に関連して記載されることがある。しかし、本開示の範囲はこの規格に関して限定されるべきではない。本明細書において開示されるシステムおよび方法の少なくともいくつかの局面は、他のタイプのワイヤレス通信システムにおいて用いられてもよい。
【００２３】
ワイヤレス通信デバイスは、基地局に音声および／またはデータを通信するために使用される電子デバイスであってもよく、基地局はデバイスのネットワーク（例、公衆交換電話網（ｐｕｂｌｉｃ  ｓｗｉｔｃｈｅｄ  ｔｅｌｅｐｈｏｎｅ  ｎｅｔｗｏｒｋ：ＰＳＴＮ）、インターネットなど）と通信してもよい。本明細書においてシステムおよび方法を説明する際に、ワイヤレス通信デバイスのことを、代替的にモバイル局、ＵＥ、アクセス端末、加入者局、モバイル端末、リモート局、ユーザ端末、端末、加入者ユニット、モバイルデバイスなどと呼ぶことがある。ワイヤレス通信デバイスの例は、携帯電話、スマートホン、パーソナルデジタルアシスタント（ｐｅｒｓｏｎａｌ  ｄｉｇｉｔａｌ  ａｓｓｉｓｔａｎｔｓ：ＰＤＡ）、ラップトップコンピュータ、ネットブック、ｅリーダ、ワイヤレスモデムなどを含む。３ＧＰＰ仕様において、ワイヤレス通信デバイスは典型的にＵＥと呼ばれる。しかし、本開示の範囲は３ＧＰＰ規格に限定されるべきではないため、本明細書において「ＵＥ」および「ワイヤレス通信デバイス」という用語は、より一般的な用語である「ワイヤレス通信デバイス」を意味するために交換可能に用いられ得る。
【００２４】
３ＧＰＰ仕様において、基地局は典型的に、ノードＢ、進化型ノードＢ（ｅＮＢ）、ホームエンハンスドもしくは進化型ノードＢ（ｈｏｍｅ  ｅｎｈａｎｃｅｄ  ｏｒ  ｅｖｏｌｖｅｄ  Ｎｏｄｅ  Ｂ：ＨｅＮＢ）、または何らかのその他の類似の用語で呼ばれる。本開示の範囲は３ＧＰＰ規格に限定されるべきではないため、本明細書において「基地局」、「ノードＢ」、「ｅＮＢ」および「ＨｅＮＢ」という用語は、より一般的な用語である「基地局」を意味するために交換可能に用いられ得る。さらに、「基地局」という用語は、アクセスポイントを示すために用いられることがある。アクセスポイントとは、ワイヤレス通信デバイスに対してネットワーク（例、ローカルエリアネットワーク（Ｌｏｃａｌ  Ａｒｅａ  Ｎｅｔｗｏｒｋ：ＬＡＮ）、インターネットなど）へのアクセスを提供する電子デバイスであってもよい。「通信デバイス」という用語は、ワイヤレス通信デバイス（例、ＵＥ）および／または基地局（例、ｅＮＢ）の両方を示すために用いられ得る。
【００２５】
なお、本明細書において用いられる「セル」とは、国際モバイル電気通信−アドバンスト（Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）（ＩＭＴ−アドバンスト）またはその拡張の使用対象として、標準化によって指定されるか、または規制機関によって管理され得る、ＵＥとｅＮＢとの間の通信のためのプロトコルを介する通信チャネルの任意のセットであって、そのセットのすべてまたはサブセットが、ｅＮＢとＵＥとの間の通信の使用対象として認可された帯域（例、周波数帯域）として３ＧＰＰに採用され得る、通信チャネルを示してもよい。「構成セル」とは、ＵＥが認識していて、情報を送信または受信することをｅＮＢによって許容されているセルのことである。「構成セル」は、サービングセルであってもよい。ＵＥはシステム情報を受信して、すべての構成セルに対して必要とされる測定を行ってもよい。「アクティブ化セル」とは、ＵＥが送信および受信を行っている構成セルのことである。すなわち、アクティブ化セルとは、ＵＥがそのセルに対して物理ダウンリンク制御チャネル（ｐｈｙｓｉｃａｌ  ｄｏｗｎｌｉｎｋ  ｃｏｎｔｒｏｌ  ｃｈａｎｎｅｌ：ＰＤＣＣＨ）をモニタするセルのことであり、ダウンリンク送信の場合は、ＵＥがそのセルに対して物理ダウンリンク共有チャネル（ＰＤＳＣＨ）を復号するセルのことである。「非アクティブ化セル」とは、ＵＥが送信ＰＤＣＣＨをモニタしていない構成セルのことである。なお、「セル」は異なる局面によって記載されることがある。たとえば、「セル」は時間的特性、空間的（例、地理的）特性、および周波数特性を有してもよい。
【００２６】
本明細書において開示されるシステムおよび方法は、動的ＵＬ／ＤＬ再構成に関連するフィードバックレポートを説明するものである。ＴＤＤ  ＵＬ／ＤＬ再構成は、ＴＤＤ  ＵＬ−ＤＬ再構成と書かれることもある。特に、本明細書において開示されるシステムおよび方法は、動的ＵＬ／ＤＬ再構成に関連するＰＤＳＣＨハイブリッド自動再送要求確認（ＨＡＲＱ−ＡＣＫ）タイミングを説明するものである。いくつかの構成において、本明細書で開示されるシステムおよび方法は、動的ＵＬ／ＤＬ再構成をサポートするセルに対するＴＤＤキャリアアグリゲーション（ｃａｒｒｉｅｒ  ａｇｇｒｅｇａｔｉｏｎ：ＣＡ）において用いられる参照構成をレポートするＨＡＲＱ−ＡＣＫを説明するものである。なお、動的ＵＬ／ＤＬ再構成は、トラフィックアダプテーションによる強化された干渉軽減（ｅｎｈａｎｃｅｄ  ｉｎｔｅｒｆｅｒｅｎｃｅ  ｍｉｔｉｇａｔｉｏｎ  ｗｉｔｈ  ｔｒａｆｆｉｃ  ａｄａｐｔａｔｉｏｎ：ｅＩＭＴＡ）と呼ばれることもある。したがって、動的ＵＬ／ＤＬ再構成をサポートするセル（例、動的ＵＬ／ＤＬ再構成セル）は、ｅＩＭＴＡセルと呼ばれることがある。トラフィックアダプテーションによる強化された干渉軽減（ｅＩＭＴＡ）は、ＬＴＥ  ＴＤＤネットワークがトラフィック負荷に基づく動的ＵＬ／ＤＬ割り当てを用いてスペクトルをよりフレキシブルに使用することを可能にするための、主要なトピックである。したがって、以下に説明されるとおり、いくつかのサブフレームはフレキシブルかつ転換可能であってもよく、ダウンリンクまたはアップリンクのいずれとして用いられてもよい。
【００２７】
動的ＵＬ／ＤＬ再構成セルは、セル上のトラフィック負荷を適応させるために動的ＵＬ／ＤＬ再構成をサポートするＴＤＤセルである。ＬＴＥ時分割二重（ＬＴＥ  ＴＤＤ）においては、アップリンクおよびダウンリンク信号の両方に対して同じ周波数帯域が用いられてもよい。ＬＴＥ  ＴＤＤにおいて異なるＤＬおよびＵＬ割り当て（例、トラフィック比率）を達成するために、３ＧＰＰ仕様（例、３ＧＰＰ  ＴＳ３６．２１１）においては７つのアップリンク−ダウンリンク（ＵＬ／ＤＬ）構成が与えられる。これらの割り当ては、ＤＬ信号に対してサブフレームの４０％から９０％を割り当て得る。
【００２８】
現在の仕様（例、ＬＴＥリリース８、９、１０および１１）に従うと、ＵＬ／ＤＬ構成を変えるためにシステム情報変更プロシージャが用いられる。このプロシージャは長い遅延を有し、コールドシステム再始動を必要とする（例、古い構成のＵＬ／ＤＬアソシエーションを切断して新たなアソシエーションをセットアップするために、システム内のすべてのＵＥが特定期間送受信できなくなる）。なお、サブフレームアソシエーションは、「ＵＬ／ＤＬアソシエーション」と呼ばれることがあり、このＵＬ／ＤＬアソシエーションは、ＵＬからＤＬへのサブフレームアソシエーションおよびＤＬからＵＬへのサブフレームアソシエーションを含んでもよい。アソシエーションの例は、ＵＬサブフレームにおけるＵＬ電力制御に対するＤＬサブフレーム（ＰＤＣＣＨ）のアソシエーション、ＵＬサブフレームにおける物理ＵＬ共有チャネル（ｐｈｙｓｉｃａｌ  ＵＬ  ｓｈａｒｅｄ  ｃｈａｎｎｅｌ：ＰＵＳＣＨ）割り当てに対するＤＬサブフレーム物理ＤＬ制御チャネル（ＰＤＣＣＨ）のアソシエーション、ＤＬサブフレームにおける物理ダウンリンク共有チャネル（ＰＤＳＣＨ）送信に対するＵＬサブフレーム上の確認および否定確認（ａｃｋｎｏｗｌｅｄｇｅｍｅｎｔ  ａｎｄ  ｎｅｇａｔｉｖｅ  ａｃｋｎｏｗｌｅｄｇｅｍｅｎｔ：ＡＣＫ／ＮＡＣＫ）フィードバックのアソシエーション、ＵＬサブフレームにおける物理ＵＬ共有チャネル（ＰＵＳＣＨ）送信に対する物理ハイブリッド自動再送要求（ＨＡＲＱ）インジケータチャネル（ｐｈｙｓｉｃａｌ  ｈｙｂｒｉｄ  ａｕｔｏｍａｔｉｃ  ｒｅｐｅａｔ  ｒｅｑｕｅｓｔ（ＨＡＲＱ）ｉｎｄｉｃａｔｏｒ  ｃｈａｎｎｅｌ：ＰＨＩＣＨ）または物理ダウンリンク制御チャネル（ＰＤＣＣＨ）における確認および否定確認（ＡＣＫ／ＮＡＣＫ）フィードバックのアソシエーションなどを含む。
【００２９】
動的ＤＬ−ＵＬ変換を可能にするために、公知の物理（ｐｈｙｓｉｃａｌ：ＰＨＹ）層シグナリングが拡張されてもよい。たとえば、ＤＬ−ＵＬ移行に用いられる現在の標準スペシャルサブフレームの拡張のように見え得るスペシャルサブフレームタイプ２が用いられてもよい。このスペシャルサブフレームタイプ２は、既存のＵＬ／ＤＬアソシエーションを維持しながらＵＬ送信を提供するために用いられ得る。ＰＨＹ層シグナリングはさらに、ＵＬ−参照ＴＤＤ  ＵＬ／ＤＬ構成のアソシエーションタイミングに従うＰＵＳＣＨスケジューリングに対してＤＣＩ０／４フォーマットを使用すること、ならびにＰＤＳＣＨスケジューリングに対してＤＣＩフォーマット１／２および拡張を使用することなどを含んでもよい。
【００３０】
本明細書において用いられる「リリース１２ＵＥ」とは、予期される３ＧＰＰリリース１２仕様およびおそらくはそれ以後の仕様に従って動作し得るＵＥであってもよい。リリース１２ＵＥは、動的ＵＬ／ＤＬ再構成をサポートするＵＥであってもよい。加えて、本明細書において用いられる「レガシＵＥ」とは、より以前の（例、ＬＴＥリリース８、９、１０、１１）仕様に従って動作し得るＵＥであってもよい。
【００３１】
動的ＵＬ／ＤＬ再構成は、ＤＬからＵＬ、およびＵＬからＤＬの再構成または切り替えの両方に対して適用されてもよい。動的ＵＬ／ＤＬ再構成は、ＰＤＳＣＨハイブリッド自動再送要求確認（ＨＡＲＱ−ＡＣＫ）タイミングに対して１つの構成を適用し、ＰＵＳＣＨスケジューリングおよびＰＵＳＣＨ  ＨＡＲＱ−ＡＣＫタイミングに対して別の構成を適用することを可能にする。動的ＵＬ／ＤＬ再構成をサポートするＵＥは、許容ＵＬ／ＤＬ再構成範囲（例、切り替え領域）における対応する参照ＵＬ／ＤＬ構成に基づいて、これらのタイミングに従ってもよい。レガシＵＥは、何らかの変化または動的ＵＬ／ＤＬ再構成の知識なしに既存のアソシエーションに従ってもよい。しかし、ｅＮＢは、後方互換タイミングを維持するためにいくつかのサブフレームにおいてレガシＵＥを制限することがある。
【００３２】
公知のＬＴＥ  ＴＤＤシステムにおいて、ＵＬおよびＤＬの割り当ては７つの規定されたＵＬ／ＤＬ構成から選択され、システム全体で同期される。現在、セルにおけるＵＬ／ＤＬ割り当て再構成をすることは、ＵＬ／ＤＬアソシエーションを調整するためにすべての送信を停止させる必要があるために非常にコストがかかることがある。１つのセルにおける変更によって、近隣セル（および近隣セルの近隣セルなど）におけるＵＬ／ＤＬ構成の同期を適合させるために、近隣セル（および近隣セルの近隣セルなど）の一連の変更がもたらされたり、付随したりすることがある。さらに、現在のＵＬ／ＤＬ割り当て再構成は、システム情報変更を必要とする。よって、現在のＵＬ／ＤＬ割り当て再構成は長い遅延を有し、トラフィック負荷の即時または短期の変化に適応しない。
【００３３】
本明細書において開示されるシステムおよび方法は、異なるＤＬ−参照ＵＬ／ＤＬ構成に基づいて、予期されるリリース１２仕様（およびそれ以降）に従って動作し得るＵＥに対してＰＤＳＣＨ  ＨＡＲＱ−ＡＣＫタイミングを適用するためのアプローチを提供する。レガシＵＥに対しては、既存のタイミングに対するいかなる修正もなしにレガシＵＥを動作させることの影響および制限についても本明細書において分析する。
【００３４】
たとえば、許容ＵＬ／ＤＬ再構成範囲に基づいて、動的ＵＬ／ＤＬ再構成をサポートするＵＥと、レガシＵＥとに対して、ＰＤＳＣＨ  ＨＡＲＱ−ＡＣＫタイミングが異なる態様で構成されてもよい。レガシＵＥは、ＨＡＲＱ−ＡＣＫタイミングの変更を想定すべきではない。しかし、予想されるコンフリクトを避けるためにｅＮＢがレガシＵＥをスケジュールしてもよい。
【００３５】
動的ＵＬ／ＤＬ再構成セルをサポートし、かつ動的ＵＬ／ＤＬ再構成セルによって構成されるＵＥに対して、動的ＵＬ／ＤＬ再構成セルのＰＤＳＣＨ  ＨＡＲＱ−ＡＣＫタイミングは１つの参照ＵＬ／ＤＬ構成に基づいていてもよく、動的ＵＬ／ＤＬ再構成セルのＰＵＳＣＨスケジューリングおよびＰＵＳＣＨ  ＨＡＲＱ−ＡＣＫタイミングは別の参照ＵＬ／ＤＬ構成に基づいていてもよい。たとえば、ＰＤＳＣＨ  ＨＡＲＱ−ＡＣＫ構成は、許容ＵＬ／ＤＬ再構成範囲内のいくつか（例、最小数）のＵＬサブフレームを有する第１の参照ＵＬ／ＤＬ構成に従ってもよい。第１の参照ＵＬ／ＤＬ構成は、デフォルトＵＬ／ＤＬ構成と同じであってもなくてもよい。
【００３６】
動的ＵＬ／ＤＬ再構成セルのＰＵＳＣＨスケジューリングおよびＰＵＳＣＨ  ＨＡＲＱ−ＡＣＫタイミングは、許容ＵＬ／ＤＬ再構成範囲内のいくつか（例、最大数）のＵＬサブフレームを有する第２の参照ＵＬ／ＤＬ構成に従ってもよい。第２の参照ＵＬ／ＤＬ構成は、デフォルトＵＬ／ＤＬ構成と同じであってもなくてもよい。許容ＵＬ／ＤＬ切り替えを有するサブフレーム（例、１つまたはそれ以上の転換可能領域内のサブフレーム）に対して、本明細書においては、動的ＵＬ／ＤＬ再構成セルが構成されるときにＰＤＳＣＨ  ＨＡＲＱ−ＡＣＫタイミングを提供するためのシステムおよび方法が提供される。
【００３７】
本明細書において開示されるシステムおよび方法は、動的ＵＬ／ＤＬ再構成セルのＰＤＳＣＨ  ＨＡＲＱ−ＡＣＫタイミングに対して参照ＵＬ／ＤＬ構成を適用してもよい。これらのシステムおよび方法は、適用されたＵＬ／ＤＬ再構成の知識なしにデフォルトタイミングに従うレガシＵＥに対してスケジュールされ得る後方互換サブフレームを規定してもよい。本明細書において開示されるシステムおよび方法は、転換可能またはフレキシブルなサブフレームの方向を動的に変更するために物理層シグナリングを使用してもよい。加えて、これらのシステムおよび方法は、転換可能またはフレキシブルな各サブフレームの方向を決めるためのアプローチを提供してもよい。
【００３８】
（たとえばシステム情報変更を用いた）ＵＬ／ＤＬ割り当て再構成を減らしながら動的ＵＬ／ＤＬ再構成をサポートするために、本明細書において開示されるシステムおよび方法は、トラフィックアダプテーションによってＵＬおよびＤＬ割り当てを変更するために物理層（例、ＰＨＹ層）シグナリングを用いてもよい。標準ＵＬ／ＤＬアソシエーションが維持されるように、ＰＨＹ層シグナリングは既存のＰＨＹ層シグナリングの拡張であってもよい。
【００３９】
現在の仕様（例、ＬＴＥリリース８、９、１０および１１）においては、ＵＬ／ＤＬ構成を変更するためにシステム情報変更プロシージャが用いられてもよい。このプロシージャは複数の放送チャネル間隔を必要とするために遅延が長く、即時のトラフィック負荷の変化に適応できない。（たとえばＬＴＥ−ＴＤＤにおける）ＵＬ／ＤＬアソシエーションの例は、ＵＬサブフレームのＵＬ電力制御に対するＰＤＣＣＨのアソシエーション、ＵＬサブフレームにおける物理アップリンク共有チャネル（ＰＵＳＣＨ）割り当てに対するＰＤＣＣＨのアソシエーション、ＵＬサブフレームにおけるＤＬ送信のＡＣＫ／ＮＡＣＫフィードバックのアソシエーション、ＰＨＩＣＨまたはＰＤＣＣＨにおけるＵＬ送信のＡＣＫ／ＮＡＣＫフィードバックなどを含む。ＵＬ／ＤＬアソシエーションが異なるため、古い構成のＵＬ／ＤＬアソシエーションを切断して新たなアソシエーションをセットアップするために、すべての送信機が一斉に送信をオフにする必要があり得る。
【００４０】
この送信をオフにすることによって、システム容量（例、アップリンクまたはダウンリンクにおいて提供される負荷）の莫大な損失およびユーザトラフィックの中断がもたらされ得る。よって、ＵＬおよびＤＬ割り当ての再構成も非常にコストがかかり得る。さらに、１つのセルにおける変更が、隣接セルにもＵＬ／ＤＬ構成を変えることを強制することがある。よって「リップル」効果が起こり得る。トラフィック負荷の変動が大きいとき、頻繁なＵＬ／ＤＬ再構成は深刻なネットワーク上の問題をもたらし得る。
【００４１】
ネットワークに集合したトラフィックの負荷対容量比が低いとき、もしＵＬトラフィックおよびＤＬトラフィック負荷が、それぞれ割り当てられたＵＬサブフレームおよびＤＬサブフレームによってサポート可能であれば、ＵＬ／ＤＬ構成は許容可能である。この場合、実際のＵＬ／ＤＬトラフィック比は、ＵＬ／ＤＬ割り当てと同じであっても異なっていてもよい。他方で、もし総トラフィックの負荷対容量比が高ければ、より良く適合するＵＬ／ＤＬ比が構成されてもよい。
【００４２】
再構成は、いくつかの場合に必要とされ得る。たとえば、割り当てられたＵＬリソースがＵＬトラフィック負荷をサポートできないときに再構成が必要とされ得る。別の例では、割り当てられたＤＬリソースがＤＬトラフィック負荷をサポートできないときに再構成が必要とされ得る。さらに、より良く適合するＵＬ／ＤＬ割り当てによってトラフィック負荷に適応するために再構成が用いられてもよい。たとえば、現在のＵＬ／ＤＬ構成がＵＬ対ＤＬトラフィック比に適合しないときに再構成が必要とされ得る。
【００４３】
トラフィック条件により良く適応するために、システム情報変更とは別に動的ＵＬ／ＤＬ再構成プロシージャがサポートされてもよい。動的ＵＬ／ＤＬ再構成は、（たとえばレガシＵＥに対する）後方互換を維持し、かつリアルタイムのトラフィック変化に基づく迅速なサブフレーム修正によって、（たとえばリリース１２以降の仕様に従って動作するＵＥに対する）さらなる柔軟性を提供してもよい。さらに、同一チャネル干渉軽減技術によって、（たとえばリリース１１における）隣接セルの異なるＵＬ／ＤＬ構成が一時的または永続的な態様でサポートされてもよい。異なるＵＬ／ＤＬ構成は、異なる初期ネットワーク構成、および／またはトラフィックアダプテーションによる動的ＵＬ／ＤＬ再構成の変化によってもたらされ得る。
【００４４】
リリース８、９、１０および１１において、ＰＤＳＣＨ  ＨＡＲＱ−ＡＣＫ、ＰＵＳＣＨスケジューリングおよびＰＵＳＣＨ  ＨＡＲＱ−ＡＣＫに対するＴＤＤ  ＵＬ／ＤＬアソシエーションは、ＴＤＤ  ＵＬ／ＤＬ構成によって規定される。ネットワーク内のすべてのレガシＵＥは、所与のＴＤＤ  ＵＬ／ＤＬ構成によって規定される同じＰＤＳＣＨ  ＨＡＲＱ−ＡＣＫレポートアソシエーションに従う。同様に、ネットワーク内のすべてのレガシＵＥは、所与のＴＤＤ  ＵＬ／ＤＬ構成によって規定される同じＰＵＳＣＨスケジューリングおよびＰＵＳＣＨ  ＨＡＲＱ−ＡＣＫレポートアソシエーションに従う。
【００４５】
しかし、動的ＵＬ／ＤＬ再構成が提供するアプローチは、異なる参照ＵＬ／ＤＬ構成に基づいてＰＤＳＣＨおよびＰＵＳＣＨタイミングアソシエーションを分離することがある。たとえば、ネットワーク（例、１つまたはそれ以上のＵＥおよび１つまたはそれ以上のｅＮＢ）は、（リリース８、９、１０および１１のようなデフォルトＵＬ／ＤＬ構成とは別に）トラフィックアダプテーションに基づいた動的ＵＬ／ＤＬ再構成を可能にするように構成されてもよい。たとえば、動的ＵＬ／ＤＬ再構成を可能にするように構成されたＵＥは、ＰＤＳＣＨ  ＨＡＲＱ−ＡＣＫアソシエーションに対する１つの参照ＵＬ／ＤＬ構成（例、ＤＬ−参照ＵＬ／ＤＬ構成）と、ＰＵＳＣＨスケジューリングおよびＰＵＳＣＨ  ＨＡＲＱ−ＡＣＫアソシエーションに対する別の参照ＵＬ／ＤＬ構成（例、ＵＬ−参照ＵＬ／ＤＬ構成）とを用いてもよく、一方でＵＥはデフォルトＵＬ／ＤＬ構成（例、第１のＵＬ／ＤＬ構成）の知識を有する。したがって、動的ＵＬ／ＤＬ再構成セルは自身のＴＤＤ  ＵＬ／ＤＬ構成を動的に変更し得るため、ＤＬ−参照ＵＬ／ＤＬ構成が指定されるべきである。
【００４６】
キャリアアグリゲーション（ＣＡ）とは、２つ以上のキャリアを同時に使用することを示す。ＣＡにおいては、ＵＥに２つ以上のセル（例、サービングセル）が集められてもよい。一実施例においては、ＵＥが利用可能な有効帯域幅を増加させるためにＣＡが用いられてもよい。サービングセルは、プライマリセル（ＰＣｅｌｌ）またはセカンダリセル（ＳＣｅｌｌ）であってもよい。キャリアアグリゲーション（ＣＡ）は、ＬＴＥリリース１０に導入された。リリース１０において、すべての集合セルは同じＴＤＤ  ＵＬ／ＤＬ構成を有する。リリース１１においては、異なるＵＬ／ＤＬ構成を伴うＴＤＤ  ＣＡがサポートされた。
【００４７】
ＳＣｅｌｌのＤＬ  ＨＡＲＱ−ＡＣＫレポートタイミングは、ＰＣｅｌｌおよびＳＣｅｌｌ構成の組み合わせに基づいて決められる。ＴＤＤ  ＣＡにおいて動的ＵＬ／ＤＬ再構成可能セルが用いられるとき、その動的ＵＬ／ＤＬ再構成可能セルのＵＬ／ＤＬ構成は変わり得る。各サービングセルは、（第１のＵＬ／ＤＬ構成と呼ばれる）ＵＬ／ＤＬ構成によって構成されてもよい。動的ＵＬ／ＤＬ再構成可能セルの第１のＵＬ／ＤＬ構成は、現行の（例、実際の）ＵＬ／ＤＬ構成とは異なっていてもよい。本明細書に記載されるシステムおよび方法は、動的ＵＬ／ＤＬ再構成可能セルのＤＬ−参照ＵＬ／ＤＬ構成を定めるためのさまざまな実施を提供する。
【００４８】
キャリアアグリゲーションにおいて、サービングセルに対するＤＬ−参照ＵＬ／ＤＬ構成が、プライマリセルおよびセカンダリセルに対して定められてもよい。リリース１１に従うと、サービングセルがプライマリセルであり、かつＵＥが２つ以上のサービングセルによって構成され、かつ少なくとも２つのサービングセルが異なるＵＬ／ＤＬ構成を有するとき、ＰＣｅｌｌ  ＵＬ／ＤＬ構成は、そのサービングセルに対するＤＬ−参照ＵＬ／ＤＬ構成である。
【００４９】
加えて、リリース１１に従うと、サービングセルがセカンダリセルであり、かつ少なくとも２つのサービングセルが異なるＵＬ／ＤＬ構成を有するとき、ＤＬ  ＨＡＲＱ−ＡＣＫタイミングは、プライマリセルおよびＳＣｅｌｌ  ＵＬ／ＤＬ構成の組み合わせによって決められるＤＬ−参照ＵＬ／ＤＬ構成に従う。ＴＤＤ  ＣＡ実施の１つにおいて、ＰＣｅｌｌ  ＵＬ／ＤＬ構成およびＳＣｅｌｌ  ＵＬ／ＤＬ構成によって形成される対は、以下の表（１）（３ＧＰＰ  ＴＳ３６．２１３の表１０．２−１より）におけるセット１に属する。この実施において、サービングセルに対するＤＬ−参照ＵＬ／ＤＬ構成は、表（１）の対応するセットにおいて規定される。
【表１】
0006357164.tif 000002
【００５０】
サービングセルがセカンダリセルであり、かつ少なくとも２つのサービングセルが異なるＵＬ／ＤＬ構成を有する別のＴＤＤ  ＣＡ実施において、ＵＥは、サービングセルに対するキャリアインジケータフィールドによって物理ダウンリンク制御チャネル（ＰＤＣＣＨ）または強化された物理ダウンリンク制御チャネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ：ＥＰＤＣＣＨ）をモニタするように構成されていない。ＰＣｅｌｌ  ＵＬ／ＤＬ構成およびＳＣｅｌｌ  ＵＬ／ＤＬ構成によって形成される対が表（１）のセット２またはセット３に属するとき、サービングセルに対するＤＬ−参照ＵＬ／ＤＬ構成も表（１）の対応するセットにおいて規定される。
【００５１】
サービングセルがセカンダリセルであり、かつ少なくとも２つのサービングセルが異なるＵＬ／ＤＬ構成を有するさらに別のＴＤＤ  ＣＡ実施において、ＵＥは、サービングセルに対するキャリアインジケータフィールドによってＰＤＣＣＨまたはＥＰＤＣＣＨをモニタするように構成される。ＰＣｅｌｌ  ＵＬ／ＤＬ構成およびＳＣｅｌｌ  ＵＬ／ＤＬ構成によって形成される対が表（１）のセット４またはセット５に属するとき、サービングセルに対するＤＬ−参照ＵＬ／ＤＬ構成は、表（１）の対応するセットに対して規定される。
【００５２】
サービングセルがセカンダリセルであり、かつ少なくとも２つのサービングセルが異なるＵＬ／ＤＬ構成を有する別のＴＤＤ  ＣＡ実施において、ＵＥは、サービングセルに対するキャリアインジケータフィールドによってＰＤＣＣＨをモニタするように構成されていない。ＰＣｅｌｌ  ＵＬ／ＤＬ構成およびＳＣｅｌｌ  ＵＬ／ＤＬ構成によって形成される対が｛（３，２），（４，２），（２，３），（２，４）｝に属するとき、ＵＥが３つ以上のサービングセルによって構成されることは予期されない。
【００５３】
リリース１１に従って動作するＴＤＤに対して、ＵＥが１つのサービングセルによって構成されているか、またはＵＥが２つ以上のサービングセルによって構成されており、かつすべてのサービングセルのＵＬ／ＤＬ構成が同じであるとき、
ｋ∈Ｋ
であって、
Ｋ
は以下の表（２）（３ＧＰＰ  ＴＳ３６．２１３の表１０．１．３．１−１より）において規定されるときの、サブフレーム
ｎ−ｋ
において、ＵＥに向けられたＰＤＳＣＨ送信が検出され、かつそのＰＤＳＣＨ送信に対するＨＡＲＱ−ＡＣＫ応答が与えられるときに、ＵＥはＵＬサブフレームｎにおいてＨＡＲＱ−ＡＣＫ応答を送信する。
【表２】
0006357164.tif 000003
【００５４】
さらに、リリース１１に従って動作するＴＤＤの実施において、ＵＥが２つ以上のサービングセルによって構成されており、かつ少なくとも２つのサービングセルが異なるＵＬ／ＤＬ構成を有するとき、
ｋ∈ＫＣ
であるときに、サービングセルｃに対するサブフレーム
ｎ−ｋ
において、ＵＥに向けられたＰＤＳＣＨ送信が検出され、かつそのＰＤＳＣＨ送信に対するＨＡＲＱ−ＡＣＫ応答が与えられるときに、ＵＥはＵＬサブフレームｎにおいてＨＡＲＱ−ＡＣＫ応答を送信する。セット
ＫＣ
は、サブフレーム
ｎ−ｋ
がサービングセルｃに対するＤＬサブフレームに対応するように
ｋ∈Ｋ
の値を含む。表（２）（表１０．１．３．１−１における「ＵＬ／ＤＬ構成」は「ＤＬ−参照ＵＬ／ＤＬ構成」を示す）において規定される
Ｋ
値は、サブフレームｎに関連付けられる。
【００５５】
リリース１１に従って動作するＴＤＤにおけるＨＡＲＱ−ＡＣＫバンドルに対して、少なくとも１つのダウンリンク割り当てが失われたことをＵＥが検出するとき、もしＨＡＲＱ−ＡＣＫが所与のサブフレームに存在する唯一のアップリンク制御情報（ｕｐｌｉｎｋ  ｃｏｎｔｒｏｌ  ｉｎｆｏｒｍａｔｉｏｎ：ＵＣＩ）であれば、ＵＥはＰＵＣＣＨにおいてＨＡＲＱ−ＡＣＫを送信しない。さらに、上に規定したとおり、ダウンリンク半永続スケジューリング（ｓｅｍｉ−ｐｅｒｓｉｓｔｅｎｔ  ｓｃｈｅｄｕｌｉｎｇ：ＳＰＳ）リリースを示す、検出されたＰＤＣＣＨに対応するＡＣＫに対するアップリンクタイミングは、検出されたＰＤＳＣＨに対応するＨＡＲＱ−ＡＣＫに対するアップリンクタイミングと同じになる。
【００５６】
リリース１２においては、ＴＤＤセルに対する動的ＵＬ／ＤＬ再構成（例、ｅＩＭＴＡ）が考慮される。動的ＵＬ／ＤＬ再構成によって、セルはトラフィック負荷に基づいてＴＤＤ  ＵＬ／ＤＬ構成を動的に変更してもよい。本明細書に記載されるシステムおよび方法は、ＣＡに対する動的ＵＬ／ＤＬ再構成セルのＤＬ−参照ＵＬ／ＤＬ構成を決定するためのやり方を提供する。これらのシステムおよび方法は、システムおよび仕様の複雑性を最小化するようなやり方で、動的ＵＬ／ＤＬ再構成を可能にするようにリリース１１以前の機構を適応させるという利益を有する。加えて、これらのシステムおよび方法は、キャリアアグリゲーションと動的ＵＬ／ＤＬ再構成との組み合わせを可能にするという利益を有する。
【００５７】
ＴＤＤ  ＣＡに対する動的ＵＬ／ＤＬ再構成が有益であり得るさまざまなシナリオが存在する。第１のシナリオにおいては、複数のフェムトセルが同じキャリア周波数に配備されてもよい。第２のシナリオにおいては、複数のフェムトセルが同じキャリア周波数に配備されてもよく、かつ複数のマクロセルが隣接キャリア周波数に配備されてもよく、ここですべてのマクロセルは同じＵＬ／ＤＬ構成を有し、フェムトセルは自身のＵＬ／ＤＬ構成を調整できる。第３のシナリオにおいては、複数の屋外ピコセルが同じキャリア周波数に配備されてもよい。第４のシナリオにおいては、複数の屋外ピコセルが同じキャリア周波数に配備されてもよく、かつ複数のマクロセルが隣接キャリア周波数に配備されてもよく、ここですべてのマクロセルは同じＵＬ／ＤＬ構成を有し、屋外ピコセルは自身のＵＬ／ＤＬ構成を調整できる。
【００５８】
第３および第４のシナリオにおいて、動的ＵＬ／ＤＬ再構成機能は、干渉軽減およびＴＤＤ  ＵＬ／ＤＬ再構成シグナリングを有するピコセルに制限され得る。第４のシナリオは、マクロセルが固定されたＴＤＤ  ＵＬ／ＤＬ構成を有し、ピコセルが動的ＵＬ／ＤＬ再構成セルである、ＴＤＤキャリアアグリゲーションに対する最も一般的な配備であり得る。さらに、ＴＤＤ  ＣＡにおけるプライマリセル（ＰＣｅｌｌ）として、マクロセルまたはピコセルのいずれが構成されてもよい。動的ＵＬ／ＤＬ再構成が可能なピコセルは、マクロセルと同じまたは異なるＴＤＤ  ＵＬ／ＤＬ構成を有してもよい。
【００５９】
動的ＵＬ／ＤＬ再構成を伴うＴＤＤ  ＣＡの一実施において、第１のＵＬ／ＤＬ構成は、動的ＵＬ／ＤＬ再構成セルのデフォルトＵＬ／ＤＬ構成であってもよい。第１のＵＬ／ＤＬ構成は、リリース８、９、１０および１１と同じやり方で構成されてもよい。たとえば、第１のＵＬ／ＤＬ構成は、システム情報ブロック１（ｓｙｓｔｅｍ  ｉｎｆｏｒｍａｔｉｏｎ  ｂｌｏｃｋ−１：ＳＩＢ１）によってシグナリングされてもよい。第１の（例、デフォルト）ＵＬ／ＤＬ構成は、ＳＩＢまたはマスタ情報ブロック（ｍａｓｔｅｒ  ｉｎｆｏｒｍａｔｉｏｎ  ｂｌｏｃｋ：ＭＩＢ）におけるＴＤＤ構成情報要素（ｉｎｆｏｒｍａｔｉｏｎ  ｅｌｅｍｅｎｔ：ＩＥ）によって構成されてもよい。動的ＵＬ／ＤＬ再構成をサポートしないＵＥに対して、ＵＥは動的ＵＬ／ＤＬ再構成セルを、第１のＵＬ／ＤＬ構成を有する通常のＴＤＤセルとして扱ってもよい。動的ＵＬ／ＤＬ再構成をサポートするＵＥに対して、第１のＵＬ／ＤＬ構成は最も一般的に使用される構成であってもよい。
【００６０】
動的ＵＬ／ＤＬ再構成をサポートしないＵＥとは、ｅＩＭＴＡシグナリングを理解しないレガシＵＥ（例、リリース８、９、１０または１１のＵＥ）か、またはｅＩＭＴＡ能力を使用しないように構成された（例、ｅＩＭＴＡ能力がＦＡＬＳＥに設定されるか、またはｅＩＭＴＡ構成がＦＡＬＳＥに設定された）リリース１２以降のＵＥを示す。加えて、ｅＩＭＴＡ能力を使用しないように構成されたリリース１２以降のＵＥとは、動的ＵＬ／ＤＬ再構成を可能にするあらゆる付加的情報を適用しないように構成されたＵＥ、動的ＵＬ／ＤＬ再構成を適用しないように構成されたＵＥなどを示してもよい。動的ＵＬ／ＤＬ再構成をサポートするＵＥとは、ｅＩＭＴＡサポート（例、ｅＩＭＴＡ能力がＴＲＵＥに設定される、ｅＩＭＴＡ構成がＴＲＵＥに設定される）を伴って構成されたリリース１２以降のＵＥを示す。
【００６１】
動的ＵＬ／ＤＬ再構成セルのＵＬ／ＤＬ再構成範囲は、いくつかのＵＬ／ＤＬ構成によって規定されてもよい。ＵＬ／ＤＬ再構成範囲は、ＤＬ−参照ＵＬ／ＤＬ構成およびＵＬ参照ＵＬ／ＤＬ構成によって規定されてもよい。フレキシブルサブフレームは、これらのＵＬ／ＤＬ構成において異なる方向または割り当てを有するサブフレームによって規定される。ＵＬ／ＤＬ構成は、プライマリＵＬ／ＤＬ構成および１つまたはそれ以上のセカンダリＵＬ／ＤＬ構成を含んでもよい。
【００６２】
したがって、動的ＵＬ／ＤＬ再構成可能セルは、第１のＵＬ／ＤＬ構成と、ＵＬ／ＤＬ再構成範囲とを有してもよい。第１のＵＬ／ＤＬ構成およびＵＬ／ＤＬ再構成範囲は、デフォルトＵＬ／ＤＬ構成（例、第１のＵＬ／ＤＬ構成）と、達成可能（または許容可能）なＵＬ／ＤＬ構成のセット（例、ＵＬ／ＤＬ再構成範囲）との順序対と考えられてもよい。
【００６３】
ＰＤＳＣＨ  ＨＡＲＱ−ＡＣＫレポートに対して、サービングセルのＤＬ−参照ＵＬ／ＤＬ構成は、ＵＥに対して２つ以上のサービングセルが構成されているときの、ＤＬ  ＨＡＲＱ−ＡＣＫレポートタイミングに対するサービングセルの参照ＵＬ／ＤＬ構成であってもよい。上に考察したとおり、サービングセルはＰＣｅｌｌまたはＳＣｅｌｌであってもよい。さらに、サービングセルはレガシＴＤＤセルまたは動的ＵＬ／ＤＬ再構成セルであってもよい。
【００６４】
動的ＵＬ／ＤＬ再構成セルのＤＬ−参照ＵＬ／ＤＬ構成は、動的ＵＬ／ＤＬ再構成セルが単独で用いられるときのＤＬ  ＨＡＲＱ−ＡＣＫレポートタイミングに対する動的ＵＬ／ＤＬ再構成セルの参照ＵＬ／ＤＬ構成であってもよい。以下に考察されるとおり、動的ＵＬ／ＤＬ再構成セルが他のセルとともに集合しているとき、構成された動的ＵＬ／ＤＬ再構成サービングセルのＤＬ−参照ＵＬ／ＤＬ構成は、単独で用いられるときの動的ＵＬ／ＤＬ再構成セルのＤＬ−参照ＵＬ／ＤＬ構成と同じであっても異なっていてもよい。
【００６５】
単一の動的ＵＬ／ＤＬ再構成セル動作について、動的ＵＬ／ＤＬ再構成セルに対するＤＬ  ＨＡＲＱ−ＡＣＫレポートタイミングに対するＤＬ−参照ＵＬ／ＤＬ構成を定めるための実施がいくつか存在する。動的ＵＬ／ＤＬ再構成のサポートができないレガシＵＥ、またはｅＩＭＴＡ能力を使用しないように構成された（例、ｅＩＭＴＡ能力がＦＡＬＳＥに設定された）リリース１２以降のＵＥに対して、動的ＵＬ／ＤＬ再構成セルは、第１の（例、デフォルト）ＵＬ／ＤＬ構成を有するレガシＴＤＤ  ＣＡとして扱われてもよい。したがって、レガシＵＥと動的ＵＬ／ＤＬ再構成可能なＵＥとの間のフレキシブルサブフレームのコンフリクトを避けることは、ｅＮＢスケジューラが行う。
【００６６】
一実施において、動的ＵＬ／ＤＬ再構成をサポートするＵＥが単一の動的ＵＬ／ＤＬ再構成セル動作に対するＤＬ−参照ＵＬ／ＤＬ構成を定めるために、動的ＵＬ／ＤＬ再構成セルに対していくつかのＵＬ／ＤＬ構成が構成されてもよい。次いで、ＰＤＳＣＨ  ＨＡＲＱ−ＡＣＫレポートに対するダウンリンクアソシエーションセットを定めるために、ＤＬ−参照ＵＬ／ＤＬ構成が導出されてもよい。このＤＬ−参照ＵＬ／ＤＬ構成は、第１の参照ＵＬ／ＤＬ構成と呼ばれてもよい。ＤＬ−参照ＵＬ／ＤＬ構成は、すべての構成ＵＬ／ＤＬ構成のうち固定されたＵＬ割り当てのみを有する構成であってもよい。
【００６７】
加えて、ＰＵＳＣＨスケジューリングおよびＨＡＲＱ−ＡＣＫレポートに対するＵＬ−参照ＵＬ／ＤＬ構成が導出されてもよく、この構成は第２の参照ＵＬ／ＤＬ構成として公知である。ＵＬ−参照ＵＬ／ＤＬ構成は、固定されたＤＬまたはスペシャルサブフレーム割り当てのみを有する構成であってもよい。したがって、すべての構成が同じ周期性を有するとき、これらの構成のうち最小のＵＬ割り当て（例、最大のＤＬ割り当て）を有するＵＬ／ＤＬ構成が、ＤＬ−参照ＵＬ／ＤＬ構成（例、第１の参照ＵＬ／ＤＬ構成）として用いられてもよい。さらに、最大のＵＬ割り当て（例、最小のＤＬ割り当て）を有するＵＬ／ＤＬ構成が、ＵＬ−参照ＵＬ／ＤＬ構成（例、第２の参照ＵＬ／ＤＬ構成）として用いられてもよい。
【００６８】
ＵＬ／ＤＬ構成が異なる周期性を有するとき、第１の参照ＵＬ／ＤＬ構成は、すべての構成された構成のうちの固定されたＵＬ割り当てによって規定される構成であり、第２の参照ＵＬ／ＤＬ構成は、すべての構成されたＵＬ／ＤＬ構成のうちの固定されたＤＬまたはスペシャルサブフレーム割り当てによって規定される。したがって、参照ＵＬ／ＤＬ構成は構成されたＵＬ／ＤＬ構成の１つと同じであってもよいし、参照ＵＬ／ＤＬ構成は構成されたＵＬ／ＤＬ構成とは異なっていてもよい。第１の参照ＵＬ／ＤＬ構成（例、ＤＬ−参照ＵＬ／ＤＬ構成）および第２の参照ＵＬ／ＤＬ構成（例、ＵＬ−参照ＵＬ／ＤＬ構成）は、７つの既存のＴＤＤ  ＵＬ／ＤＬ構成から選択されてもよい。
【００６９】
この実施によって、ＰＤＳＣＨ  ＨＡＲＱ−ＡＣＫアソシエーションおよびタイミングは、動的ＵＬ／ＤＬ再構成セルの第１の参照ＵＬ／ＤＬ構成（例、ＤＬ−参照ＵＬ／ＤＬ構成）に従ってもよい。すべてのフレキシブルサブフレームは、ＤＬ−参照ＵＬ／ＤＬ構成のＤＬサブフレームのサブセットに含まれるため、ＤＬ−参照ＵＬ／ＤＬ構成は、実際のフレキシブルサブフレーム割り当てにかかわらず用いられてもよい。
【００７０】
単一の動的ＵＬ／ＤＬ再構成セル動作に対するＤＬ−参照ＵＬ／ＤＬ構成を定めるための別の実施において、ＵＬ／ＤＬ再構成のために、動的ＵＬ／ＤＬ再構成セルのＵＬ／ＤＬ構成がシグナリングされる。再構成（例、移行）後に新たなＵＬ／ＤＬ構成が適用されてもよい。したがって、ＵＥは常に現ＴＤＤ  ＵＬ／ＤＬ構成（例、使用中の実際のＵＬ／ＤＬ構成）を有してもよい。現ＵＬ／ＤＬ構成は、第１の（例、デフォルト）ＵＬ／ＤＬ構成と同じであっても、異なっていてもよい。現ＵＬ／ＤＬ構成は、ＵＬ／ＤＬ再構成範囲内の任意の構成であってもよい。現ＵＬ／ＤＬ構成はｅＮＢおよびＵＥの両方に知られるため、ＰＤＳＣＨ  ＨＡＲＱ−ＡＣＫアソシエーションおよびタイミングは、動的ＵＬ／ＤＬ再構成セルの現ＵＬ／ＤＬ構成に従ってもよい。言換えると、動的ＵＬ／ＤＬ再構成セルのＤＬ−参照ＵＬ／ＤＬ構成は、動的ＵＬ／ＤＬ再構成セルの現ＵＬ／ＤＬ構成であってもよい。
【００７１】
単一の動的ＵＬ／ＤＬ再構成セル動作に対するＤＬ−参照ＵＬ／ＤＬ構成を定めるためのさらに別の実施において、動的ＵＬ／ＤＬ再構成セルに対するＤＬ−参照ＵＬ／ＤＬ構成として固定されたＵＬ／ＤＬ構成が用いられてもよい。たとえば、動的ＵＬ／ＤＬ再構成ＳＣｅｌｌが５ミリ秒（ｍｓ）の周期性を有するとき、ＤＬ−参照ＵＬ／ＤＬ構成としてＴＤＤ  ＵＬ／ＤＬ構成２が用いられてもよい。動的ＵＬ／ＤＬ再構成ＳＣｅｌｌが１０ｍｓの周期性を有するとき、ＤＬ−参照ＵＬ／ＤＬ構成としてＴＤＤ  ＵＬ／ＤＬ構成５が用いられてもよい。
【００７２】
動的ＵＬ／ＤＬ再構成セルを有するＴＤＤキャリアアグリゲーションにおいて、動的ＵＬ／ＤＬ再構成セルのＤＬ−参照ＵＬ／ＤＬ構成がさらに定められてもよい。上述のとおり、第４のＴＤＤキャリアアグリゲーションのシナリオは、マクロセルが固定されたＵＬ／ＤＬ構成を有し、ピコセルが動的ＵＬ／ＤＬ再構成セルである、ＴＤＤキャリアアグリゲーションの最も一般的な配備であり得る。ＴＤＤ  ＣＡによって、マクロセルまたはピコセルのいずれがＰＣｅｌｌとして構成されてもよい。動的ＵＬ／ＤＬ再構成セルは、トラフィックアダプテーションのための動的ＵＬ／ＤＬ再構成を行ってもよい。
【００７３】
動的ＵＬ／ＤＬ再構成をサポートできないレガシＵＥ（例、リリース８、９、１０および１１のＵＥ）、またはｅＩＭＴＡ能力を使用しないように構成された（例、ｅＩＭＴＡ能力がＦＡＬＳＥに設定された）リリース１２以降のＵＥに対して、ＴＤＤ  ＣＡの際に動的ＵＬ／ＤＬ再構成セルはデフォルトＵＬ／ＤＬ構成を有する通常のＴＤＤ  ＣＡとして扱われてもよい。したがって、動的ＵＬ／ＤＬ再構成サービングセルの参照ＵＬ／ＤＬ構成は、デフォルトＵＬ／ＤＬ構成を動的ＵＬ／ＤＬ再構成セルのＵＬ／ＤＬ構成として適用することによって、リリース１１と同じ方法に基づいて決められてもよい。動的ＵＬ／ＤＬ再構成セルはＰＣｅｌｌまたはＳＣｅｌｌであってもよい。したがってＴＤＤ  ＣＡの一実施において、レガシＵＥが２つ以上のサービングセルによって構成され、かつ少なくとも２つのサービングセルが異なるＵＬ／ＤＬ構成を有し、かつあるサービングセルがＰＣｅｌｌであるとき、ＰＣｅｌｌ  ＵＬ／ＤＬ構成はそのサービングセルに対するＤＬ−参照ＵＬ／ＤＬ構成である。
【００７４】
レガシＵＥ、またはｅＩＭＴＡ能力を使用しないように構成された（例、ｅＩＭＴＡ能力がＦＡＬＳＥに設定された）リリース１２以降のＵＥを有するＴＤＤ  ＣＡの別の実施において、ＵＥは２つ以上のサービングセルによって構成されてもよく、少なくとも２つのサービングセルは異なるＵＬ／ＤＬ構成を有する。サービングセルがＳＣｅｌｌであり、かつサービングセルに対するＤＬ−参照ＵＬ／ＤＬ構成が上記表（１）のＰＣｅｌｌ  ＵＬ／ＤＬ構成およびＳＣｅｌｌ  ＵＬ／ＤＬ構成によって形成される対に基づくとき、動的ＵＬ／ＤＬ再構成セルの第１の（例、デフォルト）ＵＬ／ＤＬ構成が、動的ＵＬ／ＤＬ再構成サービングセルのＵＬ／ＤＬ構成として使用される。レガシＵＥと動的ＵＬ／ＤＬ再構成可能なＵＥとの間のフレキシブルサブフレームのコンフリクトを避けることは、ｅＮＢスケジューラが行う。たとえばｅＮＢは、許容ＵＬ／ＤＬ再構成範囲内の最小ＵＬ割り当てを有するＵＬ／ＤＬ構成として、第１の（例、デフォルト）ＵＬ／ＤＬ構成を設定してもよい。
【００７５】
動的ＵＬ／ＤＬ再構成をサポートするＵＥ（例、ｅＩＭＴＡサポートを伴って構成されたリリース１２以降のＵＥ）に対して、サービングセルのＤＬ−参照ＵＬ／ＤＬ構成を定めるために、動的ＵＬ／ＤＬ再構成セルのＤＬ−参照ＵＬ／ＤＬ構成が用いられてもよい。動的ＵＬ／ＤＬ再構成セルがＰＣｅｌｌとして構成されるときと、動的ＵＬ／ＤＬ再構成セルがＳＣｅｌｌとして構成されるときとで、異なるアプローチが適用されてもよい。
【００７６】
１つのＴＤＤ  ＣＡシナリオにおいて、ＰＣｅｌｌは固定されたＵＬ／ＤＬ割り当てを有する通常のＴＤＤセルであり、動的ＵＬ／ＤＬ再構成セルはＳＣｅｌｌとして構成される。リリース１１と同じく、ＰＣｅｌｌのＤＬ−参照構成はＰＣｅｌｌ  ＵＬ／ＤＬ構成であってもよい。（動的ＵＬ／ＤＬ再構成が可能な）ＳＣｅｌｌについては、ＰＤＳＣＨ  ＨＡＲＱ−ＡＣＫアソシエーションおよびタイミングに対するいくつかの実施が考えられ得る。動的ＵＬ／ＤＬ再構成ＳＣｅｌｌに対して、ＤＬ−参照ＵＬ／ＤＬ構成は、ＰＣｅｌｌ  ＵＬ／ＤＬ構成およびＳＣｅｌｌ  ＵＬ／ＤＬ構成によって形成される対に基づいて定められてもよく、ここでＳＣｅｌｌ  ＵＬ／ＤＬ構成は動的ＵＬ／ＤＬ再構成ＳＣｅｌｌのＤＬ−参照ＵＬ／ＤＬ構成に置き換えられる。
【００７７】
ＴＤＤ  ＣＡにおける動的ＵＬ／ＤＬ再構成ＳＣｅｌｌを伴う一実施において、ＳＣｅｌｌはいくつかのＵＬ／ＤＬ構成（例、ＵＬ／ＤＬ再構成範囲）によって構成されてもよい。次いで、ＰＤＳＣＨ  ＨＡＲＱ−ＡＣＫレポートのためにＤＬ−参照ＵＬ／ＤＬ構成が導出されてもよい。このＤＬ−参照ＵＬ／ＤＬ構成は、第１の参照ＵＬ／ＤＬ構成と呼ばれてもよい。ＤＬ−参照ＵＬ／ＤＬ構成は、すべての構成された構成のうち固定されたＵＬ割り当てのみを有するＴＤＤ  ＵＬ／ＤＬ構成であるべきである。したがって、これらのＵＬ／ＤＬ構成の中ですべてのＵＬ／ＤＬ構成が同じ周期性を有するとき、最小のＵＬ割り当て（例、最大のＤＬ割り当て）を有するＵＬ／ＤＬ構成が、ＤＬ−参照ＵＬ／ＤＬ構成（例、第１の参照ＵＬ／ＤＬ構成）として用いられてもよい。ＵＬ／ＤＬ構成が異なる周期性を有するとき、第１の参照ＵＬ／ＤＬ構成は、すべての構成されたＵＬ／ＤＬ構成のうちの、固定されたＵＬ割り当てによって規定されるＵＬ／ＤＬ構成である。第１の参照ＵＬ／ＤＬ参照構成（例、ＤＬ−参照ＵＬ／ＤＬ構成）は、７つの既存のＴＤＤ  ＵＬ／ＤＬ構成から選択されてもよい。
【００７８】
この実施において、ＳＣｅｌｌのＤＬ−参照ＵＬ／ＤＬ構成（例、ＳＣｅｌｌの第１の参照ＵＬ／ＤＬ構成）がＳＣｅｌｌ  ＵＬ／ＤＬ構成として用いられてもよい。したがって、ＳＣｅｌｌのＤＬ−参照ＵＬ／ＤＬ構成は、ＳＣｅｌｌ  ＵＬ／ＤＬ構成として設定されてもよい。次いで、上記表（１）のＰＣｅｌｌ  ＵＬ／ＤＬ構成およびＳＣｅｌｌ  ＵＬ／ＤＬ構成によって形成される対に基づいて、サービングセルのＤＬ−参照ＵＬ／ＤＬ構成が定められ、ここでＳＣｅｌｌ  ＵＬ／ＤＬ構成は動的ＵＬ／ＤＬ再構成ＳＣｅｌｌのＤＬ−参照ＵＬ／ＤＬ構成である。
【００７９】
ＴＤＤ  ＣＡにおける動的ＵＬ／ＤＬ再構成ＳＣｅｌｌを伴う別の実施において、ＵＬ／ＤＬ再構成のためにＳＣｅｌｌ  ＵＬ／ＤＬ構成がシグナリングされてもよい。この実施においては、再構成（例、移行）後に、ＳＣｅｌｌに対して新たなＵＬ／ＤＬ構成が適用される。したがって、ＵＥは常に使用中の現ＴＤＤ  ＵＬ／ＤＬ構成（例、実際のＵＬ／ＤＬ構成）を有する。現ＵＬ／ＤＬ構成はｅＮＢおよびＵＥの両方に知られるため、ＰＤＳＣＨ  ＨＡＲＱ−ＡＣＫアソシエーションおよびタイミングは、動的ＵＬ／ＤＬ再構成セルの現ＵＬ／ＤＬ構成に従ってもよい。言換えると、動的ＵＬ／ＤＬ再構成ＳＣｅｌｌのＤＬ−参照ＵＬ／ＤＬ構成は、ＳＣｅｌｌの現ＵＬ／ＤＬ構成であってもよい。なお、動的ＵＬ／ＤＬ再構成ＳＣｅｌｌはＵＬ／ＤＬ構成を変更し得るため、現ＵＬ／ＤＬ構成は第１の（例、デフォルト）ＵＬ／ＤＬ構成とは異なることがある。
【００８０】
この実施において、ＳＣｅｌｌのＤＬ−参照ＵＬ／ＤＬ構成（例、動的ＵＬ／ＤＬ再構成ＳＣｅｌｌの現ＵＬ／ＤＬ構成）がＳＣｅｌｌ  ＵＬ／ＤＬ構成として用いられてもよい。したがって、ＳＣｅｌｌの現ＵＬ／ＤＬ構成は、ＳＣｅｌｌ  ＵＬ／ＤＬ構成として設定される。次いで、上記表（１）のＰＣｅｌｌ  ＵＬ／ＤＬ構成およびＳＣｅｌｌ  ＵＬ／ＤＬ構成によって形成される対に基づいて、サービングセルのＤＬ−参照ＵＬ／ＤＬ構成が定められてもよく、ここでＳＣｅｌｌ  ＵＬ／ＤＬ構成は動的ＵＬ／ＤＬ再構成ＳＣｅｌｌの現ＵＬ／ＤＬ構成である。
【００８１】
ＴＤＤ  ＣＡにおける動的ＵＬ／ＤＬ再構成ＳＣｅｌｌを伴うさらに別の実施において、ＳＣｅｌｌに対するＤＬ−参照ＵＬ／ＤＬ構成として、固定されたＵＬ／ＤＬ構成が用いられてもよい。たとえば、ＰＣｅｌｌおよび動的ＵＬ／ＤＬ再構成ＳＣｅｌｌの両方が５ｍｓの周期性を有するときは、ＤＬ−参照ＵＬ／ＤＬ構成としてＴＤＤ構成２が用いられてもよい。ＰＣｅｌｌまたは動的ＵＬ／ＤＬ再構成ＳＣｅｌｌのいずれかが１０ｍｓの周期性を有するとき、ＤＬ−参照ＵＬ／ＤＬ構成としてＴＤＤ構成５が用いられてもよい。次いで、上記表（１）のＰＣｅｌｌ  ＵＬ／ＤＬ構成およびＳＣｅｌｌ  ＵＬ／ＤＬ構成によって形成される対に基づいて、サービングセルのＤＬ−参照ＵＬ／ＤＬ構成が定められてもよく、ここでＳＣｅｌｌ  ＵＬ／ＤＬ構成は固定されたＤＬ−参照ＵＬ／ＤＬ構成である。
【００８２】
ＴＤＤ  ＣＡにおける動的ＵＬ／ＤＬ再構成ＳＣｅｌｌを伴う別の実施において、ＰＣｅｌｌ  ＵＬ／ＤＬ構成に基づいて領域マッピングが用いられてもよい。ＰＣｅｌｌ構成は固定されているため、領域マッピングは固定されており、動的ＵＬ／ＤＬ再構成セルの任意のＴＤＤ  ＵＬ／ＤＬ構成に適用され得る。領域マッピングが用いられるとき、ＰＣｅｌｌの各ＵＬサブフレームが、ＳＣｅｌｌのサブフレームのセットに関連付けられてもよい。このセットは、ＵＬサブフレームのマッピング領域と呼ばれることがある。マッピング領域は、ＳＣｅｌｌのＤＬ、ＵＬまたはフレキシブルサブフレームを含んでもよい。この実施において、ＰＣｅｌｌ  ＵＬ／ＤＬ構成は動的ＵＬ／ＤＬ再構成ＳＣｅｌｌに対する仮想参照ＵＬ／ＤＬ構成であり、動的ＵＬ／ＤＬ再構成ＳＣｅｌｌに対する追加のＤＬ−参照ＵＬ／ＤＬ構成は必要とされなくてもよい。
【００８３】
別のＴＤＤ  ＣＡシナリオにおいて、ＰＣｅｌｌは動的ＵＬ／ＤＬ再構成セルであり、ＳＣｅｌｌは固定されたＵＬ／ＤＬ割り当てを有する通常のＴＤＤセルである。ＰＣｅｌｌのＤＬ−参照ＵＬ／ＤＬ構成は動的ＵＬ／ＤＬ再構成セルのＤＬ−参照ＵＬ／ＤＬ構成であってもよく、この構成は動的ＵＬ／ＤＬ再構成ＰＣｅｌｌの第１の（例、デフォルト）ＵＬ／ＤＬ構成と同じであっても、異なっていてもよい。したがって、この実施はリリース１１とは異なる。ＳＣｅｌｌに対して、サービングセルのＤＬ−参照ＵＬ／ＤＬ構成は、ＰＣｅｌｌ  ＵＬ／ＤＬ構成およびＳＣｅｌｌ  ＵＬ／ＤＬ構成によって形成される対に基づいて定められ、ここでＰＣｅｌｌ  ＵＬ／ＤＬ構成は動的ＵＬ／ＤＬ再構成ＰＣｅｌｌのＤＬ−参照構成に置き換えられる。
【００８４】
ＴＤＤ  ＣＡにおける動的ＵＬ／ＤＬ再構成ＰＣｅｌｌを伴う一実施において、ＰＣｅｌｌに対していくつかのＵＬ／ＤＬ構成が構成されてもよい。これらのセルのうち、最小のＵＬ割り当て（例、最大のＤＬ割り当て）を有するＴＤＤ  ＵＬ／ＤＬ構成が、ＰＣｅｌｌのＤＬ−参照ＵＬ／ＤＬ構成として導出されて使用されてもよい。ＤＬ−参照ＵＬ／ＤＬ構成は、第１の参照ＵＬ／ＤＬ構成として示されてもよい。動的ＵＬ／ＤＬ再構成セルのＤＬ−参照ＵＬ／ＤＬ構成（例、ＰＣｅｌｌの第１の参照ＵＬ／ＤＬ構成）は、動的ＵＬ／ＤＬ再構成ＰＣｅｌｌのセルＵＬ／ＤＬ構成として用いられてもよい。
【００８５】
ＴＤＤ  ＣＡにおける動的ＵＬ／ＤＬ再構成ＰＣｅｌｌを伴う別の実施において、ＵＬ／ＤＬ再構成のためにＰＣｅｌｌのＵＬ／ＤＬ構成がシグナリングされてもよい。移行後に、ＰＣｅｌｌに対して新たなＵＬ／ＤＬ構成が適用されてもよい。したがって、ＵＥは常に使用中の現ＵＬ／ＤＬ構成（例、実際のＵＬ／ＤＬ構成）を有する。現ＵＬ／ＤＬ構成はｅＮＢおよびＵＥの両方に知られるため、ＰＤＳＣＨ  ＨＡＲＱ−ＡＣＫアソシエーションおよびタイミングは、ＰＣｅｌｌの現ＵＬ／ＤＬ構成に従ってもよい。言換えると、動的ＵＬ／ＤＬ再構成ＰＣｅｌｌのＤＬ−参照ＵＬ／ＤＬ構成は、動的ＵＬ／ＤＬ再構成ＰＣｅｌｌの現ＵＬ／ＤＬ構成であってもよい。なお、動的ＵＬ／ＤＬ再構成ＰＣｅｌｌはＵＬ／ＤＬ構成を変更し得るため、現ＵＬ／ＤＬ構成は第１の（例、デフォルト）ＵＬ／ＤＬ構成とは異なることがある。
【００８６】
ＴＤＤ  ＣＡにおける動的ＵＬ／ＤＬ再構成ＰＣｅｌｌを伴うさらに別の実施において、ＰＣｅｌｌに対するＤＬ−参照ＵＬ／ＤＬ構成として、固定されたＵＬ／ＤＬ構成が用いられてもよい。たとえば、動的ＵＬ／ＤＬ再構成ＰＣｅｌｌが５ｍｓの周期性を有するときは、ＤＬ−参照ＵＬ／ＤＬ構成としてＴＤＤ構成２が用いられてもよい。動的ＵＬ／ＤＬ再構成ＰＣｅｌｌが１０ｍｓの周期性を有するときは、ＤＬ−参照ＵＬ／ＤＬ構成としてＴＤＤ構成５が用いられてもよい。
【００８７】
さらに別のＴＤＤ  ＣＡシナリオにおいては、ＰＣｅｌｌおよびＳＣｅｌｌの両方が動的ＵＬ／ＤＬ再構成可能セルである。このシナリオにおいて、ＰＣｅｌｌのＤＬ−参照構成は、動的ＵＬ／ＤＬ再構成ＰＣｅｌｌのＤＬ−参照構成であるべきであり、この構成は動的ＵＬ／ＤＬ再構成ＰＣｅｌｌの第１の（例、デフォルト）ＵＬ／ＤＬ構成と同じであっても、異なっていてもよい。この構成はリリース１１とは異なる。ＳＣｅｌｌに対して、サービングセルのＤＬ−参照ＵＬ／ＤＬ構成は、ＰＣｅｌｌ  ＵＬ／ＤＬ構成およびＳＣｅｌｌ  ＵＬ／ＤＬ構成によって形成される対に基づいて定められ、ここでＰＣｅｌｌ  ＵＬ／ＤＬ構成は動的ＵＬ／ＤＬ再構成ＰＣｅｌｌのＤＬ−参照ＵＬ／ＤＬ構成に置き換えられ、かつＳＣｅｌｌ  ＵＬ／ＤＬ構成は動的ＵＬ／ＤＬ再構成ＳＣｅｌｌのＤＬ−参照構成に置き換えられる。上に考察したとおり、動的ＵＬ／ＤＬ再構成セルのＤＬ−参照ＵＬ／ＤＬ構成は、最小のＵＬ割り当てを有する参照ＵＬ／ＤＬ構成であってもよいし、動的ＵＬ／ＤＬ再構成セルに適用された現ＵＬ／ＤＬ構成であってもよいし、固定されたＵＬ／ＤＬ構成であってもよい。
【００８８】
本明細書に記載されるシステムおよび方法に従うＴＤＤキャリアアグリゲーションに対するセルＵＬ／ＤＬ構成およびＵＥの挙動の一例を表（３）に示す。あるセル（例、レガシＴＤＤセル）は第１のＵＬ／ＤＬ構成（Ｆ）のみを有してもよく、構成設定｛Ｆ｝によって規定される。あるセル（例、動的ＵＬ／ＤＬ再構成セル）は第１のＵＬ／ＤＬ構成と、付加的情報（例、付加的再構成情報）とを有してもよく、これは構成設定集合｛Ｆ，Ｘ｝によって規定されるとおりである。付加的情報Ｘは、動的ＵＬ／ＤＬ再構成を可能にする情報、またはセルにフレキシブルサブフレームを有することを可能にする情報として定義される。たとえＵＥが付加的情報Ｘを有する１つまたはそれ以上のサービングセルによって構成されていても、ＵＥはその付加的情報Ｘを適用しないようにさらに構成されてもよい。その結果、ＵＥはリリース１１のＵＥの挙動に従ってもよい。なお、付加的情報Ｘを適用しない実施は、（たとえば表（３）に示される）実施例において示されないことがある。
【００８９】
付加的情報Ｘは、（例、第１のＵＬ／ＤＬ構成との組み合わせ、およびセルが再構成され得るＵＬ／ＤＬ構成の範囲を規定することによる）付加的ＵＬ／ＤＬ構成のシグナリング、複数のＵＬ／ＤＬ構成（例、セルが再構成され得るＵＬ／ＤＬ構成の範囲）、セルが再構成され得る新たなＵＬ／ＤＬ構成（例、現ＵＬ／ＤＬ構成）のシグナリングなどであってもよい。関数ｆ（Ｆ，Ｘ）は、ＤＬ−参照ＵＬ／ＤＬ構成（例、Ｒｐ、Ｒｓｉ、Ｄｐ、Ｄｓｉ）に対して用いられるＵＬ／ＤＬ構成を決めるための関数である。ＤＬ−参照ＵＬ／ＤＬ構成を導出するために第１のＵＬ／ＤＬ構成が用いられないこともあるため、ｆはＦを用いても用いなくてもよい。
【表３】
0006357164.tif 000004
0006357164.tif 000005
0006357164.tif 000006
【００９０】
表（３）において、ＤＡＳはダウンリンクアソシエーションセット（ｄｏｗｎｌｉｎｋ  ａｓｓｏｃｉａｔｉｏｎ  ｓｅｔ）であり、ＤＡＳは表（２）（３ＧＰＰ  ＴＳ３６．２１３の表１０．１．３．１−１より）の出力であり、ＤＡＳ＝ｄ（ｚ）によって決まり、ここでｚは表（２）の入力（例、ＵＬ／ＤＬ構成）であり、ｄはＤＡＳを決めるための関数である。ＵＥが、動的ＵＬ／ＤＬ再構成を可能にする付加的情報を有さない１つのサービングセルによって構成されるとき、ｚはプライマリセルの第１のＵＬ／ＤＬ構成である。ＵＥが２つ以上のサービングセルによって構成され、かつすべてのサービングセルのＵＬ／ＤＬ構成が同じであり、かついずれのサービングセルも付加的情報によって構成されないとき、ｚはプライマリセルの第１のＵＬ／ＤＬ構成である。ＵＥが２つ以上のサービングセルによって構成され、かつ少なくとも２つのサービングセルが異なるＵＬ／ＤＬ構成を有し、かついずれのサービングセルも付加的情報によって構成されないとき、ｚは各サービングセルのＤＬ−参照ＵＬ／ＤＬ構成である。Ｄは、ｒ（ｘ，ｙ）に対する入力に用いられるＵＬ／ＤＬ構成である。Ｄは、キャリアアグリゲーションにおけるセルのＤＬ−参照ＵＬ／ＤＬ構成を導出するための仮パラメータである。プライマリセル（ＰＣｅｌｌ）に対して、Ｆｐはプライマリセルの第１のＵＬ／ＤＬ構成であり、Ｘｐは動的ＵＬ／ＤＬ再構成を可能にするプライマリセルに対する付加的情報であり、ＤＡＳｐはプライマリセルのダウンリンクアソシエーションセットであり、Ｄｐはｒ（ｘ，ｙ）に対する入力ｘである。
【００９１】
セカンダリセル（ＳＣｅｌｌ）＃ｉに対して、Ｆｓｉはセカンダリセル＃ｉの第１のＵＬ／ＤＬ構成であり、Ｘｓｉは動的ＵＬ／ＤＬ再構成を可能にするセカンダリセル＃ｉに対する付加的情報であり、ＤＡＳｓｉはセカンダリセル＃ｉのダウンリンクアソシエーションセットであり、Ｄｓｉはｒ（ｘ，ｙ）に対する入力ｙである。したがって、Ｒｐはｄ（ｚ）に対する入力ｚとしての、ＣＡにおけるプライマリセルのＤＬ−参照ＵＬ／ＤＬ構成である。Ｒｓｉは、ｄ（ｚ）に対する入力ｚとしての、ＣＡにおけるセカンダリセル＃ｉのＤＬ−参照ＵＬ／ＤＬ構成である。Ｒｓｉ＝ｒ（ｘ，ｙ）であり、ここでｒは表（１）に基づいてＣＡにおけるセカンダリセル＃ｉのＤＬ−参照ＵＬ／ＤＬ構成を決めるための関数であり、ｘはＰＣｅｌｌ  ＵＬ／ＤＬ構成（Ｄｐ）であり、ｙはＳＣｅｌｌ  ＵＬ／ＤＬ構成（Ｄｓｉ）である。
【００９２】
サービングセルのいずれも動的ＵＬ／ＤＬ再構成を可能にする付加的情報によって構成されていない場合、Ｄｐはプライマリセルの第１のＵＬ／ＤＬ構成であるＰＣｅｌｌ  ＵＬ／ＤＬ構成であり、Ｄｓｉはセカンダリセルの第１のＵＬ／ＤＬ構成であるＳＣｅｌｌ  ＵＬ／ＤＬ構成である。
【００９３】
サービングセルのいずれかが動的ＵＬ／ＤＬ再構成を可能にする付加的情報によって構成されている別の場合において、プライマリセルがＸｐによって構成されているとき、Ｄｐはｆ（Ｆｐ，Ｘｐ）によって定められるＵＬ／ＤＬ構成｛Ｒｐ｝である。さらにこの場合において、プライマリセルがＸｐによって構成されていないとき、Ｄｐはプライマリセルの第１のＵＬ／ＤＬ構成｛Ｆｐ｝である。加えてこの場合において、サービングセル＃ｉがＸｓｉによって構成されているとき、Ｄｓｉはｆ（Ｆｓｉ，Ｘｓｉ）によって定められるＵＬ／ＤＬ構成である。さらにこの場合において、サービングセル＃ｉがＸｓｉによって構成されていないとき、Ｄｓｉはサービングセル＃ｉの第１のＵＬ／ＤＬ構成である。サービングセルがプライマリセルであり、かつサービングセルがＸｐによって構成されていないとき、ｚはプライマリセルの第１のＵＬ／ＤＬ構成である。サービングセルがプライマリセルであり、かつサービングセルがＸｐによって構成されているとき、ｚはｆ（Ｆｐ，Ｘｐ）によって定められるＵＬ／ＤＬ構成（例、ＤＬ−参照ＵＬ／ＤＬ構成Ｒｐ｝である。サービングセル＃ｉがセカンダリセルであるとき、ｚはｒ（Ｄｐ，Ｄｓｉ）によって定められるＲｓｉである。
【００９４】
本明細書に開示されるシステムおよび方法のさまざまな実施例を、図面を参照しながら説明する。図面において、類似の参照番号は機能的に類似の構成要素を示し得る。本明細書において一般的に説明され、かつ図面に示されるシステムおよび方法は、多様な異なる実施において配置および設計されてもよい。よって、図面に表されるいくつかの実施の以下のより詳細な説明は、請求される範囲を限定することは意図されておらず、単にこのシステムおよび方法を表すものである。
【００９５】
図１は、フィードバックレポートのためのシステムおよび方法が実現され得る１つまたはそれ以上のｅＮＢ１６０および１つまたはそれ以上のＵＥ１０２の１つの構成を示すブロック図である。１つまたはそれ以上のＵＥ１０２は、１つまたはそれ以上のアンテナ１２２ａ〜ｎを用いて１つまたはそれ以上のｅＮＢ１６０と通信する。たとえばＵＥ１０２は、１つまたはそれ以上のアンテナ１２２ａ〜ｎを用いてｅＮＢ１６０に電磁信号を送信し、ｅＮＢ１６０から電磁信号を受信する。ｅＮＢ１６０は、１つまたはそれ以上のアンテナ１８０ａ〜ｎを用いてＵＥ１０２と通信する。
【００９６】
ＵＥ１０２およびｅＮＢ１６０は、互いに通信するために１つまたはそれ以上のチャネル１１９、１２１を用いてもよい。たとえば、ＵＥ１０２は１つまたはそれ以上のアップリンクチャネル１２１を用いて、ｅＮＢ１６０に情報またはデータを送信してもよい。アップリンクチャネル１２１の例は、ＰＵＣＣＨおよびＰＵＳＣＨなどを含む。加えて、１つまたはそれ以上のｅＮＢ１６０は、たとえば１つまたはそれ以上のダウンリンクチャネル１１９を用いて１つまたはそれ以上のＵＥ１０２に情報またはデータを送信してもよい。ダウンリンクチャネル１１９の例は、ＰＤＣＣＨ、ＰＤＳＣＨなどを含む。他の種類のチャネルが用いられてもよい。
【００９７】
１つまたはそれ以上のＵＥ１０２の各々は、１つまたはそれ以上のトランシーバ１１８、１つまたはそれ以上の復調器１１４、１つまたはそれ以上のデコーダ１０８、１つまたはそれ以上のエンコーダ１５０、１つまたはそれ以上の変調器１５４、データバッファ１０４、およびＵＥ動作モジュール１２４を含んでもよい。たとえば、ＵＥ１０２内に１つまたはそれ以上の受信および／または送信経路が実現されてもよい。簡便のために、ＵＥ１０２内に単一のトランシーバ１１８、デコーダ１０８、復調器１１４、エンコーダ１５０、および変調器１５４のみを示しているが、複数の並列エレメント（例、トランシーバ１１８、デコーダ１０８、復調器１１４、エンコーダ１５０、および変調器１５４）が実現されてもよい。
【００９８】
トランシーバ１１８は、１つまたはそれ以上の受信機１２０および１つまたはそれ以上の送信機１５８を含んでもよい。１つまたはそれ以上の受信機１２０は、１つまたはそれ以上のアンテナ１２２ａ〜ｎを用いてｅＮＢ１６０から信号を受信してもよい。たとえば、受信機１２０は信号を受信してダウンコンバートすることによって、１つまたはそれ以上の受信信号１１６を生成してもよい。１つまたはそれ以上の受信信号１１６は、復調器１１４に与えられてもよい。１つまたはそれ以上の送信機１５８は、１つまたはそれ以上のアンテナ１２２ａ〜ｎを用いてｅＮＢ１６０に信号を送信してもよい。たとえば、１つまたはそれ以上の送信機１５８は、１つまたはそれ以上の変調信号１５６をアップコンバートして送信してもよい。
【００９９】
復調器１１４は、１つまたはそれ以上の受信信号１１６を復調して１つまたはそれ以上の復調信号１１２を生成してもよい。１つまたはそれ以上の復調信号１１２は、デコーダ１０８に与えられてもよい。ＵＥ１０２は、信号を復号するためにデコーダ１０８を用いてもよい。デコーダ１０８は１つまたはそれ以上の復号信号１０６、１１０を生成してもよい。たとえば、第１のＵＥ復号信号１０６は受信されたペイロードデータを含んでもよく、このデータはデータバッファ１０４に保存されてもよい。第２のＵＥ復号信号１１０は、オーバーヘッドデータおよび／または制御データを含んでもよい。たとえば、第２のＵＥ復号信号１１０は、１つまたはそれ以上の動作を行うためにＵＥ動作モジュール１２４によって用いられ得るデータを提供してもよい。
【０１００】
本明細書において用いられる「モジュール」という用語は、特定のエレメントまたはコンポーネントがハードウェア、ソフトウェア、またはハードウェアとソフトウェアとの組み合わせにおいて実現され得ることを意味してもよい。しかし、本明細書において「モジュール」として示されるあらゆるエレメントが、代替的にハードウェアにおいて実現されてもよいことに留意すべきである。たとえば、ＵＥ動作モジュール１２４はハードウェア、ソフトウェア、またはその両方の組み合わせにおいて実現されてもよい。
【０１０１】
一般的に、ＵＥ動作モジュール１２４は、ＵＥ１０２が１つまたはそれ以上のｅＮＢ１６０と通信することを可能にしてもよい。ＵＥ動作モジュール１２４は、ＵＥサービングセル構成モジュール１２８、ＵＥ  ＤＬ−参照ＵＬ／ＤＬ構成決定モジュール１３０、およびＵＥ  ＰＤＳＣＨ  ＨＡＲＱ−ＡＣＫモジュール１３２のうちの１つまたはそれ以上を含んでもよい。
【０１０２】
なお、いくつかの実施において、ＵＥ１０２は動的ＵＬ／ＤＬ再構成に対するビルトインサポートを含んでもよい。ＵＥ１０２が動的ＵＬ／ＤＬ再構成に対するサポートを含むかどうかによって、ＵＥ１０２は異なる挙動を有してもよい。たとえば、リリース１２のＵＥ１０２はｅＩＭＴＡをサポートし得る（例、リリース１２のＵＥ１０２は動的ＵＬ／ＤＬ再構成をサポートし得る）。しかし、レガシ（例、リリース１１）ＵＥ１０２はｅＩＭＴＡをサポートしないだろう。したがって、ＵＥ１０２はサービングセルによって構成されるときに、自身の能力（例、動的ＵＬ／ＤＬ再構成に対するサポート）をチェックする必要がなくてもよい。
【０１０３】
ＵＥサービングセル構成モジュール１２８は、１つまたはそれ以上のサービングセルによってＵＥ１０２を構成するためのシグナリングを受信してもよい。上述のとおり、サービングセルとは、ＵＥ１０２が認識していて、情報を送信または受信することをｅＮＢ１６０によって許容されているセルのことであり得る。サービングセルは動的ＵＬ／ＤＬ再構成をサポートしてもしなくてもよい。シグナリングは、サービングセルに対する第１のＵＬ／ＤＬ構成を示してもよい。加えて、サービングセルは付加的再構成情報によって構成されてもよい。いくつかの実施において、付加的再構成情報は、動的ＵＬ／ＤＬ再構成を可能にしてもよい。たとえば付加的再構成情報は、フレキシブルサブフレームを有することを可能にしてもよい。付加的再構成情報の例は、付加的ＵＬ／ＤＬ構成、複数のＵＬ／ＤＬ構成、（たとえば再構成後の）現ＵＬ／ＤＬ構成、および／または周期性（例、周期性に基づくアップリンク割り当ての最小数）を含んでもよい。１つの場合に、ＵＥサービングセル構成モジュール１２８は、動的ＵＬ／ＤＬ再構成をサポートする単一のサービングセルによってＵＥ１０２を構成するためのシグナリングを受信してもよい。
【０１０４】
別の場合に、ＵＥサービングセル構成モジュール１２８は、少なくとも１つの付加的サービングセルによってＵＥ１０２を構成するための付加的シグナリングを受信してもよい。２つ以上のサービングセルによって構成されるＵＥ１０２は、キャリアアグリゲーション（ＣＡ）を行ってもよい。２つ以上のサービングセルを有する場合に、サービングセルはプライマリセル（ＰＣｅｌｌ）またはセカンダリセル（ＳＣｅｌｌ）であってもよい。複数のサービングセルの各々が別個の第１のＵＬ／ＤＬ構成を有してもよい。さらに、第１のＵＬ／ＤＬ構成の各々が、同じまたは異なるＵＬ／ＤＬ構成を示してもよい。
【０１０５】
ＵＥ  ＤＬ−参照ＵＬ／ＤＬ構成決定モジュール１３０は、１つまたはそれ以上のサービングセルに対するＤＬ−参照ＵＬ／ＤＬ構成を定めてもよい。上述のとおり、ＰＤＳＣＨおよびＰＵＳＣＨタイミングアソシエーションは、別々の参照ＵＬ／ＤＬ構成に基づいていてもよい。たとえば、トラフィックアダプテーションに基づく動的ＵＬ／ＤＬ再構成を可能にするようにＵＥ１０２およびｅＮＢ１６０が構成されてもよい（システム情報変更を必要とするリリース８、９、１０および１１仕様などにおけるＵＬ／ＤＬ再構成を除く）。たとえば、ＵＥ１０２はＰＤＳＣＨ  ＨＡＲＱ−ＡＣＫアソシエーションに対するＤＬ−参照ＵＬ／ＤＬ構成、ならびにＰＵＳＣＨスケジューリングおよびＰＵＳＣＨ  ＨＡＲＱ−ＡＣＫアソシエーションに対するＵＬ−参照ＵＬ／ＤＬ構成を使用してもよく、一方でＵＥ１０２は第１の（例、デフォルト）ＵＬ／ＤＬ構成の知識を有してもよい。ＰＤＳＣＨ  ＨＡＲＱ−ＡＣＫアソシエーションに対するＤＬ−参照ＵＬ／ＤＬ構成は、第１のＵＬ／ＤＬ構成と同じであってもなくてもよい。なお、ｅＮＢ１６０はＵＥ１０２に第１のＵＬ／ＤＬ構成をシグナリングしてもよい。
【０１０６】
１つのシナリオにおいて、ＵＥ１０２は１つのサービングセルによって構成されてもよい。ＵＥ  ＤＬ−参照ＵＬ／ＤＬ構成決定モジュール１３０は、ＵＥ１０２が動的ＵＬ／ＤＬ再構成をサポートするかどうかによって、異なるやり方でＤＬ−参照ＵＬ／ＤＬ構成を定めてもよい。たとえば、ＵＥ１０２が動的ＵＬ／ＤＬ再構成をサポートするとき、図２に関連して以下により詳細に説明するとおり、ＵＥ  ＤＬ−参照ＵＬ／ＤＬ構成決定モジュール１３０は、ＵＬ／ＤＬ構成および付加的再構成情報に基づいてＤＬ−参照ＵＬ／ＤＬ構成を定めてもよい。ＵＥ１０２が動的ＵＬ／ＤＬ再構成をサポートしないとき、ＤＬ−参照ＵＬ／ＤＬ構成に対してサービングセルの第１のＵＬ／ＤＬ構成が用いられてもよい。
【０１０７】
別のシナリオにおいて、ＵＥ１０２は２つ以上のサービングセルによって構成されてもよい。このシナリオにおいて、サービングセルはプライマリセル（ＰＣｅｌｌ）またはセカンダリセル（ＳＣｅｌｌ）であってもよい。サービングセルがＰＣｅｌｌであり、かつＰＣｅｌｌおよびＵＥ１０２の両方が動的ＵＬ／ＤＬ再構成をサポートするとき、図２に関連して以下により詳細に説明するとおり、ＵＥ  ＤＬ−参照ＵＬ／ＤＬ構成決定モジュール１３０は、ＰＣｅｌｌの第１のＵＬ／ＤＬ構成およびＰＣｅｌｌの付加的再構成情報に基づいてＤＬ−参照ＵＬ／ＤＬ構成を定めてもよい。ＰＣｅｌｌは動的ＵＬ／ＤＬ再構成をサポートするが、ＵＥ１０２は動的ＵＬ／ＤＬ再構成をサポートしないとき、第１のＵＬ／ＤＬ構成がＤＬ−参照ＵＬ／ＤＬ構成として用いられてもよい。代替的に、ＰＣｅｌｌが動的ＵＬ／ＤＬ再構成をサポートしないとき、現ＵＬ／ＤＬ構成がＤＬ−参照ＵＬ／ＤＬ構成として用いられてもよい。
【０１０８】
サービングセルがＳＣｅｌｌであるとき、ＵＥ  ＤＬ−参照ＵＬ／ＤＬ構成決定モジュール１３０は、ＰＣｅｌｌ  ＵＬ／ＤＬ構成およびＳＣｅｌｌ  ＵＬ／ＤＬ構成によって形成される対に基づいてＤＬ−参照ＵＬ／ＤＬ構成を定めてもよい。ＰＣｅｌｌ  ＵＬ／ＤＬ構成は、上述のとおりに定められてもよい（例、ＰＣｅｌｌ  ＵＬ／ＤＬ構成はＰＣｅｌｌのＤＬ−参照ＵＬ／ＤＬ構成であってもよい）。ＳＣｅｌｌおよびＵＥ１０２が動的ＵＬ／ＤＬ再構成をサポートするとき、図２に関連して以下により詳細に説明するとおり、ＳＣｅｌｌ  ＵＬ／ＤＬ構成は、サービングセルの第１のＵＬ／ＤＬ構成およびサービングセルの付加的再構成情報に基づいていてもよい。ＳＣｅｌｌは動的ＵＬ／ＤＬ再構成をサポートするが、ＵＥ１０２は動的ＵＬ／ＤＬ再構成をサポートしないとき、第１のＵＬ／ＤＬ構成がＳＣｅｌｌ  ＵＬ／ＤＬ構成として用いられてもよい。代替的に、ＳＣｅｌｌが動的ＵＬ／ＤＬ再構成をサポートしないとき、現ＳＣｅｌｌ  ＵＬ／ＤＬ構成がＳＣｅｌｌ  ＵＬ／ＤＬ構成として用いられてもよい。
【０１０９】
ＰＣｅｌｌ  ＵＬ／ＤＬ構成およびＳＣｅｌｌ  ＵＬ／ＤＬ構成を定める際に、ＵＥ  ＤＬ−参照ＵＬ／ＤＬ構成決定モジュール１３０は、ＰＣｅｌｌ  ＵＬ／ＤＬ構成およびＳＣｅｌｌ  ＵＬ／ＤＬ構成が異なるＵＬ／ＤＬ構成を含むかどうかを判定してもよい。ＰＣｅｌｌ  ＵＬ／ＤＬ構成およびＳＣｅｌｌ  ＵＬ／ＤＬ構成が異なるＵＬ／ＤＬ構成を含むとき、ＵＥ  ＤＬ−参照ＵＬ／ＤＬ構成決定モジュール１３０は、上記表（１）に基づいてＳＣｅｌｌのＤＬ−参照ＵＬ／ＤＬ構成を定めてもよい。ＰＣｅｌｌ  ＵＬ／ＤＬ構成およびＳＣｅｌｌ  ＵＬ／ＤＬ構成が同じＵＬ／ＤＬ構成であるときは、ＳＣｅｌｌ  ＵＬ／ＤＬ構成がＤＬ−参照ＵＬ／ＤＬ構成として用いられてもよい。
【０１１０】
なお、サービングセルが動的ＵＬ／ＤＬ再構成を伴って構成されて（例、サポートして）いないとき、ＵＥ１０２はレガシ（例、リリース１１）の挙動に従ってもよい。たとえば、すべての構成サービングセルのＴＤＤ  ＵＬ／ＤＬ構成が同じであるとき、サービングセルに対するＰＤＳＣＨに対するＨＡＲＱ−ＡＣＫのために用いられ得るダウンリンクアソシエーションセットを定めるために、すべてのサービングセルの第１のＵＬ／ＤＬ構成が用いられてもよい。少なくとも２つの構成サービングセルのＴＤＤ  ＵＬ／ＤＬ構成が異なるときは、各サービングセルに対するＤＬ−参照ＵＬ／ＤＬ構成、およびサービングセルに対するＰＤＳＣＨに対するＨＡＲＱ−ＡＣＫのために用いられ得るダウンリンクアソシエーションセットを定めるために、いくつかまたはすべての構成サービングセルの第１のＵＬ／ＤＬ構成が用いられる。
【０１１１】
ＵＥ  ＰＤＳＣＨ  ＨＡＲＱ−ＡＣＫモジュール１３２は、ＤＬ−参照ＵＬ／ＤＬ構成に基づくＰＤＳＣＨ  ＨＡＲＱ−ＡＣＫ情報を送ってもよい。たとえば、ＵＥ  ＰＤＳＣＨ  ＨＡＲＱ−ＡＣＫモジュール１３２は、ＤＬ−参照ＵＬ／ＤＬ構成に関連付けられるダウンリンクサブフレームアソシエーションのセットに対応するアップリンクサブフレームにおいてＰＤＳＣＨ  ＨＡＲＱ−ＡＣＫ情報を送ってもよい。たとえば、ＵＥ  ＰＤＳＣＨ  ＨＡＲＱ−ＡＣＫモジュール１３２は、ＤＬ−参照ＵＬ／ＤＬ構成に基づくＰＤＳＣＨ  ＨＡＲＱ−ＡＣＫ情報を送るべきとき、または送るべきでないときを送信機１５８に知らせてもよい。
【０１１２】
ＵＥ動作モジュール１２４は、１つまたはそれ以上の受信機１２０に情報１４８を与えてもよい。たとえば、ＵＥ動作モジュール１２４は、再送信を受信すべきときを受信機１２０に知らせてもよい。
【０１１３】
ＵＥ動作モジュール１２４は、復調器１１４に情報１３８を与えてもよい。たとえば、ＵＥ動作モジュール１２４は、ｅＮＢ１６０からの送信に対して予期される変調パターンを復調器１１４に知らせてもよい。
【０１１４】
ＵＥ動作モジュール１２４は、デコーダ１０８に情報１３６を与えてもよい。たとえば、ＵＥ動作モジュール１２４は、ｅＮＢ１６０からの送信に対して予期される符号化をデコーダ１０８に知らせてもよい。
【０１１５】
ＵＥ動作モジュール１２４は、エンコーダ１５０に情報１４２を与えてもよい。情報１４２は、符号化されるべきデータおよび／または符号化のための命令を含んでもよい。たとえば、ＵＥ動作モジュール１２４はエンコーダ１５０に、送信データ１４６および／またはその他の情報１４２を符号化するよう指示してもよい。その他の情報１４２は、ＰＤＳＣＨ  ＨＡＲＱ−ＡＣＫ情報を含んでもよい。
【０１１６】
エンコーダ１５０は、送信データ１４６および／またはＵＥ動作モジュール１２４によって与えられるその他の情報１４２を符号化してもよい。たとえば、データ１４６および／またはその他の情報１４２を符号化することは、誤り検出および／または訂正符号化、空間に対するデータのマッピング、送信に対する時間および／または周波数リソース、多重化などを含んでもよい。エンコーダ１５０は、符号化データ１５２を変調器１５４に与えてもよい。
【０１１７】
ＵＥ動作モジュール１２４は、変調器１５４に情報１４４を与えてもよい。たとえば、ＵＥ動作モジュール１２４は、ｅＮＢ１６０への送信に対して用いられるべき変調タイプ（例、コンスタレーションマッピング）を変調器１５４に知らせてもよい。変調器１５４は、１つまたはそれ以上の送信機１５８に１つまたはそれ以上の変調信号１５６を与えるために、符号化データ１５２を変調してもよい。
【０１１８】
ＵＥ動作モジュール１２４は、１つまたはそれ以上の送信機１５８に情報１４０を与えてもよい。この情報１４０は、１つまたはそれ以上の送信機１５８に対する命令を含んでもよい。たとえば、ＵＥ動作モジュール１２４は１つまたはそれ以上の送信機１５８に対して、いつｅＮＢ１６０に信号を送信すべきかを指示してもよい。いくつかの構成において、この指示は（たとえばＵＥ  ＤＬ−参照ＵＬ／ＤＬ構成決定モジュール１３０によって定められる）ＤＬ−参照ＵＬ／ＤＬ構成に基づいていてもよい。たとえば、１つまたはそれ以上の送信機１５８は、ＵＬサブフレームの間に送信してもよい。１つまたはそれ以上の送信機１５８は、変調信号１５６をアップコンバートして、１つまたはそれ以上のｅＮＢ１６０に送信してもよい。
【０１１９】
ｅＮＢ１６０は、１つまたはそれ以上のトランシーバ１７６、１つまたはそれ以上の復調器１７２、１つまたはそれ以上のデコーダ１６６、１つまたはそれ以上のエンコーダ１０９、１つまたはそれ以上の変調器１１３、データバッファ１６２、およびｅＮＢ動作モジュール１８２を含んでもよい。たとえば、ｅＮＢ１６０内に１つまたはそれ以上の受信および／または送信経路が実現されてもよい。簡便のために、ｅＮＢ１６０内に単一のトランシーバ１７６、デコーダ１６６、復調器１７２、エンコーダ１０９、および変調器１１３のみを示しているが、複数の並列エレメント（例、トランシーバ１７６、デコーダ１６６、復調器１７２、エンコーダ１０９、および変調器１１３）が実現されてもよい。
【０１２０】
トランシーバ１７６は、１つまたはそれ以上の受信機１７８および１つまたはそれ以上の送信機１１７を含んでもよい。１つまたはそれ以上の受信機１７８は、１つまたはそれ以上のアンテナ１８０ａ〜ｎを用いてＵＥ１０２から信号を受信してもよい。たとえば、受信機１７８は信号を受信してダウンコンバートすることによって、１つまたはそれ以上の受信信号１７４を生成してもよい。１つまたはそれ以上の受信信号１７４は、復調器１７２に与えられてもよい。１つまたはそれ以上の送信機１１７は、１つまたはそれ以上のアンテナ１８０ａ〜ｎを用いてＵＥ１０２に信号を送信してもよい。たとえば、１つまたはそれ以上の送信機１１７は、１つまたはそれ以上の変調信号１１５をアップコンバートして送信してもよい。
【０１２１】
復調器１７２は、１つまたはそれ以上の受信信号１７４を復調して１つまたはそれ以上の復調信号１７０を生成してもよい。１つまたはそれ以上の復調信号１７０は、デコーダ１６６に与えられてもよい。ｅＮＢ１６０は、信号を復号するためにデコーダ１６６を用いてもよい。デコーダ１６６は１つまたはそれ以上の復号信号１６４、１６８を生成してもよい。たとえば、第１のｅＮＢ復号信号１６４は受信されたペイロードデータを含んでもよく、このデータはデータバッファ１６２に保存されてもよい。第２のｅＮＢ復号信号１６８は、オーバーヘッドデータおよび／または制御データを含んでもよい。たとえば、第２のｅＮＢ復号信号１６８は、１つまたはそれ以上の動作を行うためにｅＮＢ動作モジュール１８２によって用いられ得るデータ（例、ＰＤＳＣＨ  ＨＡＲＱ−ＡＣＫ情報）を提供してもよい。
【０１２２】
一般的に、ｅＮＢ動作モジュール１８２は、ｅＮＢ１６０が１つまたはそれ以上のＵＥ１０２と通信することを可能にしてもよい。ｅＮＢ動作モジュール１８２は、ｅＮＢサービングセル構成モジュール１９６、ｅＮＢ  ＤＬ−参照ＵＬ／ＤＬ構成決定モジュール１９８、およびｅＮＢ  ＰＤＳＣＨ  ＨＡＲＱ−ＡＣＫモジュール１０７のうちの１つまたはそれ以上を含んでもよい。
【０１２３】
ｅＮＢサービングセル構成モジュール１９６は、サービングセルによってＵＥ１０２を構成するためのシグナリングを送ってもよい。上述のとおり、サービングセルは動的ＵＬ／ＤＬ再構成をサポートしてもしなくてもよい。サービングセルは動的ＵＬ／ＤＬ再構成をサポートしてもしなくてもよい。シグナリングは、サービングセルに対する第１のＵＬ／ＤＬ構成を示してもよい。加えて、サービングセルは付加的再構成情報によって構成されてもよい。いくつかの実施において、付加的再構成情報は、動的ＵＬ／ＤＬ再構成を可能にしてもよい。
【０１２４】
一実施において、ｅＮＢサービングセル構成モジュール１９６は、動的ＵＬ／ＤＬ再構成をサポートする単一のサービングセルによってＵＥ１０２を構成するためのシグナリングを送ってもよい。別の実施において、ｅＮＢサービングセル構成モジュール１９６は、少なくとも１つの付加的サービングセルによってＵＥ１０２を構成するための付加的シグナリングを送ってもよい。たとえば、１つのｅＮＢ１６０が１つのサービングセルに関連付けられてもよく、別のｅＮＢ１６０が別のサービングセルに関連付けられてもよい。別の実施例において、単一のｅＮＢ１６０が複数のサービングセルに関連付けられてもよい。２つ以上のサービングセルによって構成されるＵＥ１０２は、キャリアアグリゲーション（ＣＡ）を行ってもよい。２つ以上のサービングセルを有する実施において、サービングセルはプライマリセル（ＰＣｅｌｌ）またはセカンダリセル（ＳＣｅｌｌ）であってもよい。
【０１２５】
ｅＮＢ  ＤＬ−参照ＵＬ／ＤＬ構成決定モジュール１９８は、１つまたはそれ以上のサービングセルに対するＤＬ−参照ＵＬ／ＤＬ構成を定めてもよい。上述のとおり、ＰＤＳＣＨおよびＰＵＳＣＨタイミングアソシエーションは、別々の参照ＵＬ／ＤＬ構成に基づいていてもよい。たとえば、トラフィックアダプテーションに基づく動的ＵＬ／ＤＬ再構成を可能にするようにＵＥ１０２およびｅＮＢ１６０が構成されてもよい（システム情報変更を必要とするリリース８、９、１０および１１仕様などにおけるＵＬ／ＤＬ再構成を除く）。たとえば、ｅＮＢ１６０はＰＤＳＣＨ  ＨＡＲＱ−ＡＣＫアソシエーションに対するＤＬ−参照ＵＬ／ＤＬ構成、ならびにＰＵＳＣＨスケジューリングおよびＵＥ１０２とのＰＵＳＣＨ  ＨＡＲＱ−ＡＣＫアソシエーションに対するＵＬ−参照ＵＬ／ＤＬ構成を使用してもよく、一方でＵＥ１０２は第１の（例、デフォルト）ＵＬ／ＤＬ構成の知識を有してもよい。ＰＤＳＣＨ  ＨＡＲＱ−ＡＣＫアソシエーションに対するＤＬ−参照ＵＬ／ＤＬ構成は、第１のＵＬ／ＤＬ構成と同じであってもなくてもよい。なお、ｅＮＢ１６０はＵＥ１０２に第１のＵＬ／ＤＬ構成をシグナリングしてもよい。
【０１２６】
場合によっては、ｅＮＢ１６０がＵＬ／ＤＬ構成間で動作を移行してもよい。たとえばｅＮＢ１６０は、第１のＵＬ／ＤＬ構成とは異なるＵＬ／ＤＬ構成を使用することを１つまたはそれ以上のＵＥ１０２に指示することによって、動的ＵＬ／ＤＬ再構成を行ってもよい。したがって、現ＵＬ／ＤＬ構成は第１のＵＬ／ＤＬ構成とは異なっていてもよい。ｅＮＢ  ＤＬ−参照ＵＬ／ＤＬ構成決定モジュール１９８は、動的ＵＬ／ＤＬ再構成の際にＵＥ１０２からＰＤＳＣＨ  ＨＡＲＱ−ＡＣＫ情報を受信するために用いられ得るＤＬ−参照ＵＬ／ＤＬ構成を定めてもよい。
【０１２７】
１つのシナリオにおいて、ＵＥ１０２は、ｅＮＢ１６０に関連付けられた１つのサービングセルによって構成されてもよい。ｅＮＢ  ＤＬ−参照ＵＬ／ＤＬ構成決定モジュール１９８は、ＵＥ１０２が動的ＵＬ／ＤＬ再構成をサポートするかどうかによって、異なるやり方でＤＬ−参照ＵＬ／ＤＬ構成を定めてもよい。たとえば、ＵＥ１０２が動的ＵＬ／ＤＬ再構成をサポートするとき、以下により詳細に説明するとおり、ｅＮＢ  ＤＬ−参照ＵＬ／ＤＬ構成決定モジュール１９８は、第１のＵＬ／ＤＬ構成および付加的再構成情報に基づいてＤＬ−参照ＵＬ／ＤＬ構成を定めてもよい。ＵＥ１０２が動的ＵＬ／ＤＬ再構成をサポートしないとき、ＤＬ−参照ＵＬ／ＤＬ構成に対してサービングセルの第１のＵＬ／ＤＬ構成が用いられてもよい。
【０１２８】
別のシナリオにおいて、ＵＥ１０２は２つ以上のサービングセルによって構成されてもよい。このシナリオにおいて、サービングセルはプライマリセル（ＰＣｅｌｌ）またはセカンダリセル（ＳＣｅｌｌ）であってもよい。（ｅＮＢ１６０に関連付けられた）サービングセルがＰＣｅｌｌであり、かつＰＣｅｌｌおよびＵＥ１０２の両方が動的ＵＬ／ＤＬ再構成をサポートするとき、以下により詳細に説明するとおり、ｅＮＢ  ＤＬ−参照ＵＬ／ＤＬ構成決定モジュール１９８は、第１のＵＬ／ＤＬ構成および付加的再構成情報に基づいてＤＬ−参照ＵＬ／ＤＬ構成を定めてもよい。ＰＣｅｌｌは動的ＵＬ／ＤＬ再構成をサポートするが、ＵＥ１０２は動的ＵＬ／ＤＬ再構成をサポートしないとき、第１のＵＬ／ＤＬ構成がＤＬ−参照ＵＬ／ＤＬ構成として用いられてもよい。代替的に、ＰＣｅｌｌが動的ＵＬ／ＤＬ再構成をサポートしないとき、現ＵＬ／ＤＬ構成がＤＬ−参照ＵＬ／ＤＬ構成として用いられてもよい。
【０１２９】
（ｅＮＢ１６０に関連付けられた）サービングセルがＳＣｅｌｌであるとき、ｅＮＢ  ＤＬ−参照ＵＬ／ＤＬ構成決定モジュール１９８は、ＰＣｅｌｌ  ＵＬ／ＤＬ構成およびＳＣｅｌｌ  ＵＬ／ＤＬ構成によって形成される対に基づいてＤＬ−参照ＵＬ／ＤＬ構成を定めてもよい。ＰＣｅｌｌ  ＵＬ／ＤＬ構成は、上述のとおりに定められてもよい（例、ＰＣｅｌｌ  ＵＬ／ＤＬ構成はＰＣｅｌｌのＤＬ−参照ＵＬ／ＤＬ構成であってもよい）。ＳＣｅｌｌおよびＵＥ１０２が動的ＵＬ／ＤＬ再構成をサポートするとき、以下により詳細に説明するとおり、ＳＣｅｌｌ  ＵＬ／ＤＬ構成は、第１のＵＬ／ＤＬ構成および付加的再構成情報に基づいていてもよい。ＳＣｅｌｌは動的ＵＬ／ＤＬ再構成をサポートするが、ＵＥ１０２は動的ＵＬ／ＤＬ再構成をサポートしないとき、第１のＵＬ／ＤＬ構成がＳＣｅｌｌ  ＵＬ／ＤＬ構成として用いられてもよい。代替的に、ＳＣｅｌｌが動的ＵＬ／ＤＬ再構成をサポートしないとき、現ＳＣｅｌｌ  ＵＬ／ＤＬ構成がＳＣｅｌｌ  ＵＬ／ＤＬ構成として用いられてもよい。
【０１３０】
ＰＣｅｌｌ  ＵＬ／ＤＬ構成およびＳＣｅｌｌ  ＵＬ／ＤＬ構成を定める際に、ｅＮＢ  ＤＬ−参照ＵＬ／ＤＬ構成決定モジュール１９８は、ＰＣｅｌｌ  ＵＬ／ＤＬ構成およびＳＣｅｌｌ  ＵＬ／ＤＬ構成が異なるＵＬ／ＤＬ構成を含むかどうかを判定してもよい。ＰＣｅｌｌ  ＵＬ／ＤＬ構成およびＳＣｅｌｌ  ＵＬ／ＤＬ構成が異なるＵＬ／ＤＬ構成を含むとき、ｅＮＢ  ＤＬ−参照ＵＬ／ＤＬ構成決定モジュール１９８は、上記表（１）に基づいてＳＣｅｌｌのＤＬ−参照ＵＬ／ＤＬ構成を定めてもよい。ＰＣｅｌｌ  ＵＬ／ＤＬ構成およびＳＣｅｌｌ  ＵＬ／ＤＬ構成が同じＵＬ／ＤＬ構成であるときは、ＳＣｅｌｌ  ＵＬ／ＤＬ構成がＤＬ−参照ＵＬ／ＤＬ構成として用いられてもよい。
【０１３１】
なお、サービングセルが動的ＵＬ／ＤＬ再構成を伴って構成されていないとき、ｅＮＢ１６０はレガシ（例、リリース１１）の挙動に従ってもよい。したがって、サービングセルが動的ＵＬ／ＤＬ再構成をサポートしていないとき、ＰＤＳＣＨ  ＨＡＲＱ−ＡＣＫ情報を受信するために用いられるダウンリンクアソシエーションセットは、サービングセルの第１のＵＬ／ＤＬ構成に基づいていてもよい。
【０１３２】
ｅＮＢ  ＰＤＳＣＨ  ＨＡＲＱ−ＡＣＫモジュール１０７は、ＤＬ−参照ＵＬ／ＤＬ構成に基づくＰＤＳＣＨ  ＨＡＲＱ−ＡＣＫ情報を受信してもよい。たとえば、ｅＮＢ  ＰＤＳＣＨ  ＨＡＲＱ−ＡＣＫモジュール１０７は、ＤＬ−参照ＵＬ／ＤＬ構成に関連付けられるダウンリンクサブフレームアソシエーションのセットに対応するアップリンクサブフレームにおいてＰＤＳＣＨ  ＨＡＲＱ−ＡＣＫ情報を受信してもよい。たとえば、ｅＮＢ  ＰＤＳＣＨ  ＨＡＲＱ−ＡＣＫモジュール１０７は、ＤＬ−参照ＵＬ／ＤＬ構成に基づくＰＤＳＣＨ  ＨＡＲＱ−ＡＣＫ情報を受信すべきとき、または受信すべきでないときを受信機１７８に知らせてもよい。
【０１３３】
ｅＮＢ動作モジュール１８２は、１つまたはそれ以上の受信機１７８に情報１９０を与えてもよい。たとえば、ｅＮＢ動作モジュール１８２は、ＤＬ−参照ＵＬ／ＤＬ構成に対応するダウンリンクサブフレームアソシエーションのセットに基づくＰＤＳＣＨ  ＨＡＲＱ−ＡＣＫ情報を受信すべきとき、または受信すべきでないときを受信機１７８に知らせてもよい。
【０１３４】
ｅＮＢ動作モジュール１８２は、復調器１７２に情報１８８を与えてもよい。たとえば、ｅＮＢ動作モジュール１８２は、ＵＥ１０２からの送信に対して予期される変調パターンを復調器１７２に知らせてもよい。
【０１３５】
ｅＮＢ動作モジュール１８２は、デコーダ１６６に情報１８６を与えてもよい。たとえば、ｅＮＢ動作モジュール１８２は、ＵＥ１０２からの送信に対して予期される符号化をデコーダ１６６に知らせてもよい。
【０１３６】
ｅＮＢ動作モジュール１８２は、エンコーダ１０９に情報１０１を与えてもよい。情報１０１は、符号化されるべきデータおよび／または符号化のための命令を含んでもよい。たとえば、ｅＮＢ動作モジュール１８２はエンコーダ１０９に、送信データ１０５および／またはその他の情報１０１を符号化するよう指示してもよい。
【０１３７】
エンコーダ１０９は、送信データ１０５および／またはｅＮＢ動作モジュール１８２によって与えられるその他の情報１０１を符号化してもよい。たとえば、データ１０５および／またはその他の情報１０１を符号化することは、誤り検出および／または訂正符号化、空間に対するデータのマッピング、送信に対する時間および／または周波数リソース、多重化などを含んでもよい。エンコーダ１０９は、符号化データ１１１を変調器１１３に与えてもよい。送信データ１０５は、ＵＥ１０２に中継されるべきネットワークデータを含んでもよい。
【０１３８】
ｅＮＢ動作モジュール１８２は、変調器１１３に情報１０３を与えてもよい。この情報１０３は、変調器１１３に対する命令を含んでもよい。たとえば、ｅＮＢ動作モジュール１８２は、ＵＥ１０２への送信に対して用いられるべき変調タイプ（例、コンスタレーションマッピング）を変調器１１３に知らせてもよい。変調器１１３は、１つまたはそれ以上の送信機１１７に１つまたはそれ以上の変調信号１１５を与えるために、符号化データ１１１を変調してもよい。
【０１３９】
ｅＮＢ動作モジュール１８２は、１つまたはそれ以上の送信機１１７に情報１９２を与えてもよい。この情報１９２は、１つまたはそれ以上の送信機１１７に対する命令を含んでもよい。たとえば、ｅＮＢ動作モジュール１８２は１つまたはそれ以上の送信機１１７に対して、ＵＥ１０２に信号を送信すべきとき（または送信すべきでないとき）を指示してもよい。いくつかの実施において、この指示はＤＬ−参照ＵＬ／ＤＬ構成に基づいていてもよい。１つまたはそれ以上の送信機１１７は、変調信号１１５をアップコンバートして、１つまたはそれ以上のＵＥ１０２に送信してもよい。
【０１４０】
なお、ＤＬサブフレームはｅＮＢ１６０から１つまたはそれ以上のＵＥ１０２に送信されてもよく、ＵＬサブフレームは１つまたはそれ以上のＵＥ１０２からｅＮＢ１６０に送信されてもよい。さらに、ｅＮＢ１６０および１つまたはそれ以上のＵＥ１０２の両方が、標準スペシャルサブフレームにおいてデータを送信してもよい。
【０１４１】
加えて、ｅＮＢ１６０およびＵＥ１０２に含まれるエレメントの１つもしくはそれ以上、またはエレメントの一部がハードウェアにおいて実現されてもよいことに留意すべきである。たとえば、これらのエレメントの１つもしくはそれ以上、またはエレメントの一部が、チップ、回路またはハードウェアコンポーネントなどとして実現されてもよい。加えて、本明細書に記載される機能または方法の１つまたはそれ以上が、ハードウェアにおいて実現されるか、および／またはハードウェアを用いて実行されてもよいことに留意すべきである。たとえば、本明細書に記載される方法の１つまたはそれ以上が、チップセット、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ：ＡＳＩＣ）、大規模集積（ｌａｒｇｅ−ｓｃａｌｅ  ｉｎｔｅｇｒａｔｅｄ：ＬＳＩ）回路、もしくは集積回路などにおいて実現されるか、および／またはそうした回路を用いて具現化されてもよい。
【０１４２】
図２は、ＵＥ１０２によってフィードバックを送るための方法２００の一実施を示す流れ図である。ＵＥ１０２は、動的ＵＬ／ＤＬ再構成（例、ｅＩＭＴＡサポート）を伴って構成されていてもよい。ＵＥ１０２は、１つまたは複数のサービングセルによってＵＥ１０２を構成するためのシグナリングを受信する（ステップ２０２）。上述のとおり、サービングセルとは、ＵＥ１０２が認識していて、情報を送信または受信することをｅＮＢ１６０によって許容されているセルであってもよい。ＵＥ１０２は、複数のサービングセルによってＵＥ１０２を構成するためのシグナリングをｅＮＢ１６０から受信する（ステップ２０２）。シグナリングは、サービングセルに対する第１のＵＬ／ＤＬ構成を示してもよい。複数のサービングセルの各々は、別個の第１のＵＬ／ＤＬ構成を有してもよい。さらに、第１のＵＬ／ＤＬ構成の各々は、同じまたは異なるＵＬ／ＤＬ構成を示してもよい。第１のＵＬ／ＤＬ構成は、ＳＩＢにおいてシグナリングされてもよい。
【０１４３】
第１のＵＬ／ＤＬ構成は、サービングセルのデフォルトＴＤＤ  ＵＬ／ＤＬ構成として用いられてもよい。サービングセルはさらに、付加的再構成情報によって構成されてもよい。サービングセルは、第１のＵＬ／ＤＬ構成とは異なる別のＵＬ／ＤＬ構成に構成され（例、切り替えられ）てもよい。現ＵＬ／ＤＬ構成は、実際のＵＬ／ＤＬ構成と呼ばれることもある。サービングセルは、複数のＴＤＤ  ＵＬ／ＤＬ構成によって構成されて、複数の参照ＴＤＤ  ＵＬ／ＤＬ構成を有してもよい。いくつかの実施において、付加的再構成情報は、動的ＵＬ／ＤＬ再構成を可能にしてもよい。付加的再構成情報の例は、付加的ＵＬ／ＤＬ構成、複数のＵＬ／ＤＬ構成、（たとえば再構成後の）現ＵＬ／ＤＬ構成、および／または周期性（例、周期性に基づくアップリンク割り当ての最小数）を含んでもよい。上述のとおり、ＵＥ１０２は動的ＵＬ／ＤＬ再構成をサポートしてもよいし、ＵＥ１０２は動的ＵＬ／ＤＬ再構成をサポートしないであろうレガシＵＥ１０２であってもよい。
【０１４４】
ＵＥ１０２が１つまたは複数のサービングセルによって構成されており、かつサービングセルの少なくとも１つが動的ＵＬ／ＤＬ再構成を可能にする付加的再構成情報によって構成されているとき、ＵＥ１０２は、サービングセルの第１のＵＬ／ＤＬ構成およびサービングセルの付加的再構成情報に基づいて、サービングセルの少なくとも１つに対するＤＬ−参照ＵＬ／ＤＬ構成を定める（ステップ２０４）。一実施において、ＤＬ−参照ＵＬ／ＤＬ構成は、第１の参照ＵＬ／ＤＬ構成に基づいて定められる（ステップ２０４）。たとえば、ＵＥ１０２はＵＬ／ＤＬ再構成範囲を有するシグナリングを受信する（ステップ２０２）。次いで、そのＵＬ／ＤＬ再構成範囲に基づいてＤＬ−参照ＵＬ／ＤＬ構成が定められる（ステップ２０４）。このＤＬ−参照ＵＬ／ＤＬ構成は、第１の参照ＵＬ／ＤＬ構成と呼ばれることがある。ＤＬ−参照ＵＬ／ＤＬ構成は、すべての構成されたＵＬ／ＤＬ構成のうち固定されたＵＬ割り当てのみを有するＵＬ／ＤＬ構成であってもよい。
【０１４５】
すべての構成が同じ周期性を有するとき、これらの構成のうち最小のＵＬ割り当て（例、最大のＤＬ割り当て）を有するＵＬ／ＤＬ構成が、ＤＬ−参照ＵＬ／ＤＬ構成（例、第１の参照ＵＬ／ＤＬ構成）として用いられてもよい。構成が異なる周期性を有するとき、第１の参照ＵＬ／ＤＬ構成は、すべての構成された構成のうちの固定されたＵＬ割り当てによって規定される構成である。したがって、ＤＬ−参照ＵＬ／ＤＬ構成は構成されたＵＬ／ＤＬ構成の１つと同じであってもよいし、ＤＬ−参照ＵＬ／ＤＬ構成は構成されたＵＬ／ＤＬ構成とは異なっていてもよい。第１の参照ＵＬ／ＤＬ構成（例、ＤＬ−参照ＵＬ／ＤＬ構成）は、７つの既存のＴＤＤ  ＵＬ／ＤＬ構成から選択されてもよい。
【０１４６】
この実施によって、ＰＤＳＣＨ  ＨＡＲＱ−ＡＣＫアソシエーションおよびタイミングは、サービングセルの第１の参照ＵＬ／ＤＬ構成（例、ＤＬ−参照ＵＬ／ＤＬ構成）に従ってもよい。すべてのフレキシブルサブフレームは、ＤＬ−参照ＵＬ／ＤＬ構成のＤＬサブフレームのサブセットに含まれるため、ＤＬ−参照ＵＬ／ＤＬ構成は、実際のフレキシブルサブフレーム割り当てにかかわらず用いられてもよい。
【０１４７】
別の実施において、ＤＬ−参照ＵＬ／ＤＬ構成は、現ＵＬ／ＤＬ構成に基づいて定められる（ステップ２０４）。たとえば、ＵＬ／ＤＬ再構成の際に、サービングセルのＵＬ／ＤＬ構成がシグナリングされてもよい。ＵＬ／ＤＬ構成の移行（例、再構成）後に新たなＵＬ／ＤＬ構成が適用されてもよい。したがって、ＵＥ１０２は常に現ＵＬ／ＤＬ構成（例、使用中の実際のＵＬ／ＤＬ構成）を有してもよい。現ＵＬ／ＤＬ構成は、第１の（例、デフォルト）ＵＬ／ＤＬ構成と同じであっても、異なっていてもよい。現ＵＬ／ＤＬ構成は、ＵＬ／ＤＬ再構成範囲内の任意の構成であってもよい。現ＵＬ／ＤＬ構成はｅＮＢ１６０およびＵＥ１０２の両方に知られるため、ＰＤＳＣＨ  ＨＡＲＱ−ＡＣＫアソシエーションおよびタイミングは、サービングセルの現ＵＬ／ＤＬ構成に従ってもよい。言換えると、サービングセルのＤＬ−参照ＵＬ／ＤＬ構成は、サービングセルの現ＵＬ／ＤＬ構成であってもよい。
【０１４８】
さらに別の実施において、ＤＬ−参照ＵＬ／ＤＬ構成は、固定されたＵＬ／ＤＬ構成の周期性に基づいて定められる（ステップ２０４）。たとえば、固定されたＵＬ／ＤＬ構成が、第１のセルに対するＤＬ−参照ＵＬ／ＤＬ構成として用いられてもよい。サービングセルが５ミリ秒（ｍｓ）の周期性を有するＳＣｅｌｌであるとき、ＤＬ−参照ＵＬ／ＤＬ構成としてＴＤＤ  ＵＬ／ＤＬ構成２が用いられてもよい。サービングセルが１０ｍｓの周期性を有するＳＣｅｌｌであるとき、ＤＬ−参照ＵＬ／ＤＬ構成としてＴＤＤ  ＵＬ／ＤＬ構成５が用いられてもよい。
【０１４９】
ＵＥ１０２が動的ＵＬ／ＤＬ再構成をサポートしないとき、ＵＥ１０２は第１のＵＬ／ＤＬ構成に基づいてＤＬ−参照ＵＬ／ＤＬ構成を定める（ステップ２０４）。動的ＵＬ／ＤＬ再構成をサポートしないＵＥ１０２は、レガシＵＥ１０２（例、リリース８、９、１０および１１のＵＥ１０２）か、またはｅＩＭＴＡ能力を使用しないように構成された（例、ｅＩＭＴＡ能力がＦＡＬＳＥに設定された）リリース１２以降のＵＥ１０２であってもよい。言換えると、ＵＥ１０２は動的ＵＬ／ＤＬ再構成をサポートしないが、サービングセルは動的ＵＬ／ＤＬ再構成をサポートするとき、ＵＥ１０２はサービングセルのデフォルトＵＬ／ＤＬ構成に基づいてＤＬ−参照ＵＬ／ＤＬ構成を定める（ステップ２０４）。このやり方で、ＵＥ１０２はサービングセルを、デフォルトＴＤＤ  ＵＬ／ＤＬ構成を有するレガシＴＤＤセルとして扱ってもよい。
【０１５０】
ＵＥ１０２は、ＤＬ−参照ＵＬ／ＤＬ構成に基づくＰＤＳＣＨ  ＨＡＲＱ−ＡＣＫ情報を送る（ステップ２０６）。たとえば、ＵＥ１０２は、ＤＬ−参照ＵＬ／ＤＬ構成に関連するダウンリンクサブフレームアソシエーションのセットに対応するアップリンクサブフレームにおいて、ｅＮＢ１６０にＰＤＳＣＨ  ＨＡＲＱ−ＡＣＫ情報を送る（ステップ２０６）。
【０１５１】
図３は、ｅＮＢ１６０によってフィードバックを受信するための方法３００の一実施を示す流れ図である。ｅＮＢ１６０は、複数のサービングセルによってＵＥ１０２を構成するためのシグナリングを送る（ステップ３０２）。シグナリングは、サービングセルに対する第１のＵＬ／ＤＬ構成を示してもよい。複数のサービングセルの各々は、別個の第１のＵＬ／ＤＬ構成を有してもよい。さらに、第１のＵＬ／ＤＬ構成の各々は、同じまたは異なるＵＬ／ＤＬ構成を示してもよい。第１のＵＬ／ＤＬ構成は、ＳＩＢにおいてシグナリングされてもよい。
【０１５２】
第１のＵＬ／ＤＬ構成は、サービングセルのデフォルトＴＤＤ  ＵＬ／ＤＬ構成として用いられてもよい。サービングセルはさらに、付加的再構成情報によって構成されてもよい。サービングセルは、第１のＵＬ／ＤＬ構成とは異なる別のＵＬ／ＤＬ構成に構成され（例、切り替えられ）てもよい。現ＵＬ／ＤＬ構成は、実際のＵＬ／ＤＬ構成と呼ばれることもある。サービングセルは、複数のＴＤＤ  ＵＬ／ＤＬ構成によって構成されて、複数の参照ＴＤＤ  ＵＬ／ＤＬ構成を有してもよい。いくつかの実施において、付加的再構成情報は、動的ＵＬ／ＤＬ再構成を可能にしてもよい。付加的再構成情報の例は、付加的ＵＬ／ＤＬ構成、複数のＵＬ／ＤＬ構成、（たとえば再構成後の）現ＵＬ／ＤＬ構成、および／または周期性（例、周期性に基づくアップリンク割り当ての最小数）を含んでもよい。
【０１５３】
サービングセルの少なくとも１つが動的ＵＬ／ＤＬ再構成を可能にする付加的再構成情報によって構成されているとき、ｅＮＢ１６０は、サービングセルの第１のＵＬ／ＤＬ構成およびサービングセルの付加的再構成情報に基づいて、ＤＬ−参照ＵＬ／ＤＬ構成を定める（ステップ３０４）。一実施において、ＤＬ−参照ＵＬ／ＤＬ構成は、第１の参照ＵＬ／ＤＬ構成に基づいて定められる（ステップ３０４）。たとえば、ｅＮＢ１６０はＵＬ／ＤＬ再構成範囲を有するシグナリングをＵＥ１０２に送る（ステップ３０４）。図２に関連して上述したとおり、次いでそのＵＬ／ＤＬ再構成範囲に基づいてＤＬ−参照ＵＬ／ＤＬ構成が定められる（ステップ３０４）。
【０１５４】
別の実施においては、現ＵＬ／ＤＬ構成に基づいてＤＬ−参照ＵＬ／ＤＬ構成が定められる（ステップ３０４）。このステップは、図２に関連して上述したとおりに達成され得る。
【０１５５】
さらに別の実施においては、固定されたＵＬ／ＤＬ構成の周期性に基づいてＤＬ−参照ＵＬ／ＤＬ構成が定められる（ステップ３０４）。このステップも、図２に関連して上述したとおりに達成され得る。
【０１５６】
ＵＥ１０２が動的ＵＬ／ＤＬ再構成をサポートしないとき、ｅＮＢ１６０は第１のＵＬ／ＤＬ構成に基づいてＤＬ−参照ＵＬ／ＤＬ構成を定める（ステップ３０４）。動的ＵＬ／ＤＬ再構成をサポートしないＵＥ１０２は、レガシＵＥ１０２（例、リリース８、９、１０および１１のＵＥ１０２）か、またはｅＩＭＴＡ能力を使用しないように構成された（例、ｅＩＭＴＡ能力がＦＡＬＳＥに設定された）リリース１２以降のＵＥ１０２であってもよい。言換えると、ＵＥ１０２は動的ＵＬ／ＤＬ再構成をサポートしないが、サービングセルは動的ＵＬ／ＤＬ再構成をサポートするとき、ｅＮＢ１６０はサービングセルのデフォルトＵＬ／ＤＬ構成に基づいてＤＬ−参照ＵＬ／ＤＬ構成を定める（ステップ３０４）。ｅＮＢ１６０が複数のＵＥ１０２に接続された実施において、レガシＵＥ１０２と動的ＵＬ／ＤＬ再構成可能なＵＥ１０２との間のフレキシブルサブフレームのコンフリクトを避けることは、ｅＮＢ１６０が行う。
【０１５７】
ｅＮＢ１６０は、ＤＬ−参照ＵＬ／ＤＬ構成に基づくＰＤＳＣＨ  ＨＡＲＱ−ＡＣＫ情報を受信する（ステップ３０６）。たとえば、ｅＮＢ１６０は、ＤＬ−参照ＵＬ／ＤＬ構成に関連するダウンリンクサブフレームアソシエーションのセットに対応するアップリンクサブフレームにおいて、ＰＤＳＣＨ  ＨＡＲＱ−ＡＣＫ情報を受信する（ステップ３０６）。
【０１５８】
図４は、本明細書に開示されるシステムおよび方法に従って用いられ得る無線フレーム４３５の一例を示す図である。この無線フレーム４３５構造は、ＴＤＤ構造を示す。各無線フレーム４３５の長さは
Ｔｆ＝３０７２００・Ｔｓ＝１０
ｍｓであってもよく、ここで
Ｔｆ
は無線フレーム４３５の持続時間であり、
Ｔｓ
は時間単位であって、
１／（１５０００×２０４８）
秒に等しい。無線フレーム４３５は２つのハーフフレーム４３７を含んでもよく、各ハーフフレームの長さは
１５３６００・Ｔｓ＝５
ｍｓである。各ハーフフレーム４３７は５つのサブフレーム４２３ａ〜ｅ、４２３ｆ〜ｊを含んでもよく、各サブフレームの長さは
３０７２０・Ｔｓ＝１
ｍｓである。
【０１５９】
ＴＤＤ  ＵＬ／ＤＬ構成０〜６を以下の表（４）（３ＧＰＰ  ＴＳ３６．２１１の表４．２−２より）に与える。５ｍｓおよび１０ｍｓ両方のダウンリンク−アップリンク切り替え点周期性を有するＵＬ／ＤＬ構成がサポートされ得る。特に、下の表（４）に示されるとおり、３ＧＰＰ仕様においては７つのＵＬ／ＤＬ構成が指定されている。表（４）において、「Ｄ」はダウンリンクサブフレームを示し、「Ｓ」はスペシャルサブフレームを示し、「Ｕ」はＵＬサブフレームを示す。
【表４】
0006357164.tif 000007
【０１６０】
上記表（４）において、無線フレーム内の各サブフレームに対して、「Ｄ」はそのサブフレームがダウンリンク送信のためにリザーブされることを示し、「Ｕ」はそのサブフレームがアップリンク送信のためにリザーブされることを示し、「Ｓ」は以下の３つのフィールドを有するスペシャルサブフレームを示す。すなわち、ダウンリンクパイロットタイムスロット（ｄｏｗｎｌｉｎｋ  ｐｉｌｏｔ  ｔｉｍｅ  ｓｌｏｔ：ＤｗＰＴＳ）、ガード期間（ｇｕａｒｄ  ｐｅｒｉｏｄ：ＧＰ）、およびアップリンクパイロットタイムスロット（ｕｐｌｉｎｋ  ｐｉｌｏｔ  ｔｉｍｅ  ｓｌｏｔ：ＵｐＰＴＳ）である。ＤｗＰＴＳおよびＵｐＰＴＳの長さは、表（５）（３ＧＰＰ  ＴＳ３６．２１１の表４．２−１より）において、ＤｗＰＴＳ、ＧＰおよびＵｐＰＴＳの合計の長さが
３０７２０・Ｔｓ＝１
ｍｓに等しいとして与えられる。表（５）は、（標準）スペシャルサブフレームのいくつかの構成を示す。各サブフレームｉは、各サブフレーム内の２つのスロット２ｉおよび２ｉ＋１として規定され、そのスロットの長さは
Ｔｓｌｏｔ＝１５３６０・Ｔｓ＝０．５
ｍｓである。表（５）においては、簡便のために「サイクリックプレフィックス（ｃｙｃｌｉｃ  ｐｒｅｆｉｘ）」を「ＣＰ」と略記し、「構成（ｃｏｎｆｉｇｕｒａｔｉｏｎ）」を「Ｃｏｎｆｉｇ」と略記している。
【表５】
0006357164.tif 000008
【０１６１】
５ｍｓおよび１０ｍｓ両方のダウンリンク−アップリンク切り替え点周期性を有するＵＬ／ＤＬ構成がサポートされる。５ｍｓのダウンリンク−アップリンク切り替え点周期性の場合、スペシャルサブフレームは両方のハーフフレームに存在する。１０ｍｓのダウンリンク−アップリンク切り替え点周期性の場合、スペシャルサブフレームは第１のハーフフレームのみに存在する。サブフレーム０および５ならびにＤｗＰＴＳがダウンリンク送信のためにリザーブされてもよい。ＵｐＰＴＳおよびスペシャルサブフレームの直後のサブフレームがアップリンク送信のためにリザーブされてもよい。
【０１６２】
本明細書において開示されるシステムおよび方法に従うと、使用され得るいくつかのタイプのサブフレーム４２３は、ダウンリンクサブフレーム、アップリンクサブフレーム、およびスペシャルサブフレーム４３１を含む。５ｍｓの周期性を有する、図４に示される実施例においては、無線フレーム４３５に２つの標準スペシャルサブフレーム４３１ａｂが含まれる。
【０１６３】
第１のスペシャルサブフレーム４３１ａは、ダウンリンクパイロットタイムスロット（ＤｗＰＴＳ）４２５ａ、ガード期間（ＧＰ）４２７ａ、およびアップリンクパイロットタイムスロット（ＵｐＰＴＳ）４２９ａを含む。この実施例において、第１の標準スペシャルサブフレーム４３１ａはサブフレーム１  ４２３ｂに含まれる。第２の標準スペシャルサブフレーム４３１ｂは、ダウンリンクパイロットタイムスロット（ＤｗＰＴＳ）４２５ｂ、ガード期間（ＧＰ）４２７ｂ、およびアップリンクパイロットタイムスロット（ＵｐＰＴＳ）４２９ｂを含む。この実施例において、第２の標準スペシャルサブフレーム４３１ｂはサブフレーム６  ４２３ｇに含まれる。ＤｗＰＴＳ４２５ａ〜ｂおよびＵｐＰＴＳ４２９ａ〜ｂの長さは、（上記表（５）に示される）３ＧＰＰ  ＴＳ３６．２１１の表４．２−１によって、ＤｗＰＴＳ４２５、ＧＰ４２７およびＵｐＰＴＳ４２９の各セットの合計の長さが
３０７２０・Ｔｓ＝１
ｍｓに等しいとして与えられてもよい。
【０１６４】
各サブフレームｉ  ４２３ａ〜ｊ（この実施例において、ｉはサブフレーム０  ４２３ａ（例、０）からサブフレーム９  ４２３ｊ（例、９）までの範囲のサブフレームを示す）は、各サブフレーム４２３内の２つのスロット
２ｉ
および
２ｉ＋１
として規定され、そのスロットの長さは
Ｔｓｌｏｔ＝１５３６０・Ｔｓ＝０．５
ｍｓである。たとえば、サブフレーム０（例、０）４２３ａは、第１のスロット４３９を含む２つのスロットを含んでもよい。
【０１６５】
本明細書において開示されるシステムおよび方法に従って、５ｍｓおよび１０ｍｓ両方のダウンリンク−アップリンク切り替え点周期性を有するＵＬ／ＤＬ構成が用いられ得る。図４は、５ｍｓの切り替え点周期性を有する無線フレーム４３５の一例を示す。５ｍｓのダウンリンク−アップリンク切り替え点周期性の場合、各ハーフフレーム４３７は標準スペシャルサブフレーム４３１ａ〜ｂを含む。１０ｍｓのダウンリンク−アップリンク切り替え点周期性の場合、スペシャルサブフレームは第１のハーフフレーム４３７のみに存在し得る。
【０１６６】
サブフレーム０（例、０）４２３ａおよびサブフレーム５（例、５）４２３ｆならびにＤｗＰＴＳ４２５ａ〜ｂが、ＤＬ送信のためにリザーブされてもよい。ＵｐＰＴＳ４２９ａ〜ｂおよび標準スペシャルサブフレーム４３１ａ〜ｂの直後のサブフレーム（例、サブフレーム２  ４２３ｃおよびサブフレーム７  ４２３ｈ）がＵＬ送信のためにリザーブされてもよい。一実施において、複数のセルが集められている場合、ＵＥ１０２はすべてのセルに対して同じＵＬ／ＤＬ構成を想定してもよく、かつ異なるセルにおけるスペシャルサブフレームのガード期間（ＧＰ）が少なくとも
１４５６・Ｔｓ
の重複を有することを想定してもよい。
【０１６７】
ＵＬ／ＤＬ再構成範囲によっては、図４に示されるサブフレーム４２３の１つまたはそれ以上が転換可能であってもよい。たとえば、上記表（４）に与えられたデフォルトＵＬ／ＤＬ構成１を想定すると、サブフレーム３（例、３）４２３ｄは転換可能サブフレーム４３３（たとえばＵＬからＤＬ）であってもよい。
【０１６８】
図５は、本明細書に記載されるシステムおよび方法に従う、いくつかのＴＤＤ  ＵＬ／ＤＬ構成５４１ａ〜ｇを示す図である。特に、図５は、サブフレーム５２３ａおよびサブフレーム番号５４３ａを有するＵＬ／ＤＬ構成０  ５４１ａ（例、「ＵＬ／ＤＬ構成０」）と、サブフレーム５２３ｂおよびサブフレーム番号５４３ｂを有するＵＬ／ＤＬ構成１  ５４１ｂ（例、「ＵＬ／ＤＬ構成１」）と、サブフレーム５２３ｃおよびサブフレーム番号５４３ｃを有するＵＬ／ＤＬ構成２  ５４１ｃ（例、「ＵＬ／ＤＬ構成２」）と、サブフレーム５２３ｄおよびサブフレーム番号５４３ｄを有するＵＬ／ＤＬ構成３  ５４１ｄ（例、「ＵＬ／ＤＬ構成３」）とを示す。図５はさらに、サブフレーム５２３ｅおよびサブフレーム番号５４３ｅを有するＵＬ／ＤＬ構成４  ５４１ｅ（例、「ＵＬ／ＤＬ構成４」）と、サブフレーム５２３ｆおよびサブフレーム番号５４３ｆを有するＵＬ／ＤＬ構成５  ５４１ｆ（例、「ＵＬ／ＤＬ構成５」）と、サブフレーム５２３ｇおよびサブフレーム番号５４３ｇを有するＵＬ／ＤＬ構成６  ５４１ｇ（例、「ＵＬ／ＤＬ構成６」）とを示す。
【０１６９】
さらに、図５はＰＤＳＣＨ  ＨＡＲＱ−ＡＣＫアソシエーション５４５（例、ＰＵＣＣＨまたはＰＵＳＣＨアソシエーションに対するＰＤＳＣＨ  ＨＡＲＱ−ＡＣＫフィードバック）を示す。ＰＤＳＣＨ  ＨＡＲＱ−ＡＣＫアソシエーション５４５は、ＰＤＳＣＨ送信のためのサブフレーム（例、ＰＤＳＣＨ送信が送信および／または受信され得るサブフレーム）に対応するサブフレームをレポートするＨＡＲＱ−ＡＣＫを示してもよい。なお、簡便のために、図５に示された無線フレームのいくつかは短くされている。
【０１７０】
本明細書に記載されるシステムおよび方法は、図５に示されるＵＬ／ＤＬ構成５４１ａ〜ｇの１つまたはそれ以上に適用されてもよい。たとえば、図５に示されるＵＬ／ＤＬ構成５４１ａ〜ｇの１つに対応する１つまたはそれ以上のＰＤＳＣＨ  ＨＡＲＱ−ＡＣＫアソシエーション５４５が、ＵＥ１０２とｅＮＢ１６０との間の通信に適用されてもよい。たとえば、サービングセルに対してＤＬ−参照ＵＬ／ＤＬ構成５４１が決定（例、割り当て、適用）されてもよい。この場合、ＰＤＳＣＨ  ＨＡＲＱ−ＡＣＫアソシエーション５４５は、サービングセルに対応するＨＡＲＱ−ＡＣＫフィードバック送信のためのＰＤＳＣＨ  ＨＡＲＱ−ＡＣＫタイミング（例、ＨＡＲＱ−ＡＣＫレポートサブフレーム）を指定してもよい。
【０１７１】
ＰＤＳＣＨ  ＨＡＲＱ−ＡＣＫアソシエーション５４５は、ＰＤＳＣＨに対応するＨＡＲＱ−ＡＣＫ情報を受信するための特定の（ＰＤＳＣＨ  ＨＡＲＱ−ＡＣＫ）タイミングを指定してもよい。ＰＤＳＣＨ  ＨＡＲＱ−ＡＣＫアソシエーション５４５は、ＵＥ１０２がＰＤＳＣＨに対応するＨＡＲＱ−ＡＣＫ情報をｅＮＢ１６０にレポート（例、送信）するためのレポートサブフレームを指定してもよい。レポートサブフレームは、ｅＮＢ１６０が送ったＰＤＳＣＨを含むサブフレームに基づいて定められてもよい。
【０１７２】
図６は、プライマリセル（ＰＣｅｌｌ）に対するＤＬ−参照ＵＬ／ＤＬ構成を定めるための方法６００の一実施を示す流れ図である。この方法６００は、サービングセルに関連付けられた通信デバイスによって実行されてもよい。通信デバイスは、動的ＵＬ／ＤＬ再構成（例、ｅＩＭＴＡ）をサポートするように構成されていてもよい。通信デバイスは、そのサービングセルと、１つまたはそれ以上の付加的なサービングセルとによって構成されたＵＥ１０２であってもよく、それらのサービングセルはＰＣｅｌｌおよび１つまたはそれ以上のＳＣｅｌｌを含んでもよい。複数のサービングセルは、キャリアアグリゲーション（ＣＡ）のために用いられてもよい。付加的または代替的に、通信デバイスは、サービングセルに関連付けられたｅＮＢ１６０であってもよい。図６に記載される実施において、サービングセルはＰＣｅｌｌであり、ＵＥ１０２は動的ＵＬ／ＤＬ再構成をサポートする。図６に記載される実施は、サービングセルのいずれかが、動的ＵＬ／ＤＬ再構成を可能にするか、またはセルにフレキシブルサブフレームを有することを可能にする付加的再構成情報によって構成されている場合にのみ適用され得る。
【０１７３】
通信デバイスは、サービングセルがＰＣｅｌｌであると判定する（ステップ６０２）。たとえば、ｅＮＢ１６０はサービングセルをＰＣｅｌｌとして構成してもよい。ＵＥ１０２は、サービングセルがＰＣｅｌｌであることを示す表示をｅＮＢ１６０から受信してもよい。
【０１７４】
通信デバイスは、サービングセルが動的ＵＬ／ＤＬ再構成をサポートするかどうかを判定する（ステップ６０４）。サービングセルが動的ＵＬ／ＤＬ再構成をサポートするとき、通信デバイスは、サービングセルの第１のＵＬ／ＤＬ構成およびサービングセルの付加的再構成情報に基づいてＤＬ−参照ＵＬ／ＤＬ構成を定める（ステップ６０６）。このステップは、図２に関連して説明されたとおりに達成されてもよい。たとえば、一実施において、ＤＬ−参照ＵＬ／ＤＬ構成は第１の参照ＵＬ／ＤＬ構成に基づいて定められる（ステップ６０６）。別の実施において、ＤＬ−参照ＵＬ／ＤＬ構成は現ＵＬ／ＤＬ構成に基づいて定められる（ステップ６０６）。さらに別の実施において、ＤＬ−参照ＵＬ／ＤＬ構成は固定されたＵＬ／ＤＬ構成の周期性に基づいて定められる（ステップ６０６）。
【０１７５】
サービングセルが動的ＵＬ／ＤＬ再構成をサポートしないと通信デバイスが判定する（ステップ６０４）とき、通信デバイスは、サービングセルのＴＤＤ  ＵＬ／ＤＬ構成をＤＬ−参照ＵＬ／ＤＬ構成として使用する（ステップ６０８）。言換えると、サービングセルがレガシサービングセルとして動作するとき、現在使用されているＵＬ／ＤＬ構成がＤＬ−参照ＵＬ／ＤＬ構成として使用される（ステップ６０８）。なお、レガシセルに対してただ１つの構成が存在してもよい。
【０１７６】
なお、通信デバイスは、ＤＬ−参照ＵＬ／ＤＬ構成に基づくＰＤＳＣＨ  ＨＡＲＱ−ＡＣＫ情報を送信または受信してもよい。たとえばＵＥ１０２は、ＤＬ−参照ＵＬ／ＤＬ構成に関連付けられるダウンリンクサブフレームアソシエーションのセットに対応するアップリンクサブフレームにおいて、ｅＮＢ１６０にＰＤＳＣＨ  ＨＡＲＱ−ＡＣＫ情報を送ってもよい。
【０１７７】
図７は、プライマリセル（ＰＣｅｌｌ）に対するＤＬ−参照ＵＬ／ＤＬ構成を定めるための方法７００の別の実施を示す流れ図である。この方法７００は、サービングセルに関連付けられた通信デバイスによって実行されてもよい。通信デバイスは、そのサービングセルと、１つまたはそれ以上の付加的なサービングセルとによって構成されたＵＥ１０２であってもよく、それらのサービングセルはＰＣｅｌｌおよび１つまたはそれ以上のＳＣｅｌｌを含んでもよい。複数のサービングセルは、キャリアアグリゲーション（ＣＡ）のために用いられてもよい。付加的または代替的に、通信デバイスは、サービングセルに関連付けられたｅＮＢ１６０であってもよい。通信デバイスはｅＩＭＴＡをサポートしなくてもよい。たとえば通信デバイスは、レガシ（例、リリース８、９、１０および１１）ＵＥ１０２か、またはｅＩＭＴＡ能力を使用しないように構成された（例、ｅＩＭＴＡ能力がＦＡＬＳＥに設定された）リリース１２以降のＵＥ１０２であってもよい。この実施において、サービングセルはＰＣｅｌｌである。さらに、この実施におけるＵＥ１０２は動的ＵＬ／ＤＬ再構成をサポートしない。
【０１７８】
通信デバイスは、サービングセルがＰＣｅｌｌであると判定する（ステップ７０２）。たとえば、ｅＮＢ１６０はサービングセルをＰＣｅｌｌとして構成してもよい。ＵＥ１０２は、サービングセルがＰＣｅｌｌであるという表示をｅＮＢ１６０から受信してもよい。
【０１７９】
通信デバイスは、サービングセルが動的ＵＬ／ＤＬ再構成をサポートするかどうかを判定する（ステップ７０４）。サービングセルが動的ＵＬ／ＤＬ再構成をサポートし、かつＵＥ１０２がｅＩＭＴＡ能力を使用しないように構成されたリリース１２以降のＵＥ１０２であるとき、通信デバイスは、第１のＵＬ／ＤＬ構成をＤＬ−参照ＵＬ／ＤＬ構成として使用する（ステップ７０６）。動的ＵＬ／ＤＬ再構成シグナリングを理解しないレガシＵＥ１０２は、第１のＰＣｅｌｌ  ＵＬ／ＤＬ構成のみを受信し、その第１のＰＣｅｌｌ  ＵＬ／ＤＬ構成をＰＣｅｌｌ  ＵＬ／ＤＬ構成として使用する。サービングセルが動的ＵＬ／ＤＬ再構成をサポートする場合、サービングセルの現ＵＬ／ＤＬ構成は第１の（例、デフォルト）ＵＬ／ＤＬ構成と同じではないことがある。上に考察したとおり、レガシおよび非ｅＩＭＴＡサポートＵＥ１０２と、動的ＵＬ／ＤＬ再構成可能なＵＥ１０２との間のフレキシブルサブフレームのコンフリクトを避けることは、ｅＮＢ１６０が行う。したがって、ｅＮＢ１６０は第１の（例、デフォルト）ＵＬ／ＤＬ構成を、許容ＵＬ／ＤＬ再構成範囲内の最小ＵＬ割り当てを有するＵＬ／ＤＬ構成として設定してもよい。
【０１８０】
サービングセルが動的ＵＬ／ＤＬ再構成をサポートしないこと、またはＵＥ１０２が動的ＵＬ／ＤＬ再構成シグナリングを理解しないレガシＵＥ１０２であることを通信デバイスが判定する（ステップ７０４）とき、通信デバイスは現ＵＬ／ＤＬ構成をＤＬ−参照ＵＬ／ＤＬ構成として使用する（ステップ７０８）。言換えると、サービングセルがレガシサービングセルとして動作するとき、そのセルの現在構成されているＴＤＤ  ＵＬ／ＤＬ構成がＤＬ−参照ＵＬ／ＤＬ構成として使用される（ステップ７０８）。
【０１８１】
なお、通信デバイスは、ＤＬ−参照ＵＬ／ＤＬ構成に基づくＰＤＳＣＨ  ＨＡＲＱ−ＡＣＫ情報を送信または受信してもよい。たとえばＵＥ１０２は、ＤＬ−参照ＵＬ／ＤＬ構成に関連付けられるダウンリンクサブフレームアソシエーションのセットに対応するアップリンクサブフレームにおいて、ｅＮＢ１６０にＰＤＳＣＨ  ＨＡＲＱ−ＡＣＫ情報を送ってもよい。
【０１８２】
図８は、セカンダリセル（ＳＣｅｌｌ）に対するＤＬ−参照ＵＬ／ＤＬ構成を定めるための方法８００の一実施を示す流れ図である。この方法８００は、サービングセルに関連付けられた通信デバイスによって実行されてもよい。通信デバイスは、そのサービングセルと、１つまたはそれ以上の付加的なサービングセルとによって構成されたＵＥ１０２であってもよく、それらのサービングセルはＰＣｅｌｌおよび１つまたはそれ以上のＳＣｅｌｌを含んでもよい。通信デバイスは、動的ＵＬ／ＤＬ構成（例、ｅＩＭＴＡ）をサポートするように構成されていてもよい。複数のサービングセルは、キャリアアグリゲーション（ＣＡ）のために用いられてもよい。付加的または代替的に、通信デバイスは、サービングセルに関連付けられたｅＮＢ１６０であってもよい。この実施において、サービングセルはＳＣｅｌｌであり、ＵＥ１０２は動的ＵＬ／ＤＬ再構成をサポートする。図８に記載される実施は、サービングセルのいずれかが、動的ＵＬ／ＤＬ再構成を可能にするか、またはセルにフレキシブルサブフレームを有することを可能にする付加的再構成情報によって構成されている場合にのみ適用され得る。
【０１８３】
通信デバイスは、サービングセルがＳＣｅｌｌであると判定する（ステップ８０２）。たとえば、ｅＮＢ１６０はサービングセルをＳＣｅｌｌとして構成してもよい。ＵＥ１０２は、サービングセルがＳＣｅｌｌであることを示す表示をｅＮＢ１６０から受信してもよい。なお、「第１のＵＬ／ＤＬ構成」は「デフォルトＵＬ／ＤＬ構成」を示してもよい。
【０１８４】
通信デバイスは、ＰＣｅｌｌが動的ＵＬ／ＤＬ再構成をサポートするかどうかを判定する（ステップ８０４）。ＰＣｅｌｌが動的ＵＬ／ＤＬ再構成をサポートするとき、通信デバイスは、ＰＣｅｌｌの第１のＵＬ／ＤＬ構成およびＰＣｅｌｌの付加的再構成情報に基づいてＰＣｅｌｌ  ＵＬ／ＤＬ構成を定める（ステップ８０６）。このステップは、図２に関連して説明されたとおりに達成されてもよい。たとえば、一実施において、ＰＣｅｌｌ  ＵＬ／ＤＬ構成は第１の参照ＵＬ／ＤＬ構成に基づいて定められる（ステップ８０６）。別の実施において、ＰＣｅｌｌ  ＵＬ／ＤＬ構成は現ＰＣｅｌｌ  ＵＬ／ＤＬ構成に基づいて定められる（ステップ８０６）。さらに別の実施において、ＰＣｅｌｌ  ＵＬ／ＤＬ構成は固定されたＵＬ／ＤＬ構成の周期性に基づいて定められる（ステップ８０６）。
【０１８５】
ＰＣｅｌｌが動的ＵＬ／ＤＬ再構成をサポートしないと通信デバイスが判定する（ステップ８０４）とき、通信デバイスは、ＰＣｅｌｌのＴＤＤ  ＵＬ／ＤＬ構成をＰＣｅｌｌ  ＵＬ／ＤＬ構成として使用する（ステップ８０８）。言換えると、ＰＣｅｌｌがレガシサービングセルとして動作するとき、ＰＣｅｌｌの現在使用されているＵＬ／ＤＬ構成がＰＣｅｌｌ  ＵＬ／ＤＬ構成として使用される（ステップ８０８）。
【０１８６】
通信デバイスは、サービングセル（例、ＳＣｅｌｌ）が動的ＵＬ／ＤＬ再構成をサポートするかどうかを判定する（ステップ８１０）。サービングセルが動的ＵＬ／ＤＬ再構成をサポートするとき、通信デバイスは、サービングセルの第１のＵＬ／ＤＬ構成および付加的再構成情報に基づいてＳＣｅｌｌ  ＵＬ／ＤＬ構成を定める（ステップ８１２）。このステップは、図２に関連して説明されたとおりに達成されてもよい。たとえば、一実施において、ＳＣｅｌｌ  ＵＬ／ＤＬ構成は第１の参照ＵＬ／ＤＬ構成に基づいて定められる（ステップ８１２）。別の実施において、ＳＣｅｌｌ  ＵＬ／ＤＬ構成は現ＳＣｅｌｌ  ＵＬ／ＤＬ構成に基づいて定められる（ステップ８１２）。さらに別の実施において、ＳＣｅｌｌ  ＵＬ／ＤＬ構成は固定されたＵＬ／ＤＬ構成の周期性に基づいて定められる（ステップ８１２）。
【０１８７】
サービングセルが動的ＵＬ／ＤＬ再構成をサポートしないと通信デバイスが判定する（ステップ８１０）とき、通信デバイスは、ＳＣｅｌｌのＴＤＤ  ＵＬ／ＤＬ構成をＳＣｅｌｌ  ＵＬ／ＤＬ構成として使用する（ステップ８１４）。言換えると、サービングセルがレガシサービングセルとして動作するとき、サービングセルの現在使用されているＵＬ／ＤＬ構成がＳＣｅｌｌ  ＵＬ／ＤＬ構成として使用される（ステップ８１４）。
【０１８８】
通信デバイスは、上記表（１）に基づいてＳＣｅｌｌのＤＬ−参照ＵＬ／ＤＬ構成を定める（ステップ８１６）。なお、通信デバイスは、ＤＬ−参照ＵＬ／ＤＬ構成に基づくＰＤＳＣＨ  ＨＡＲＱ−ＡＣＫ情報を送信または受信してもよい。たとえばＵＥ１０２は、ＤＬ−参照ＵＬ／ＤＬ構成に関連付けられるダウンリンクサブフレームアソシエーションのセットに対応するアップリンクサブフレームにおいて、ｅＮＢ１６０にＰＤＳＣＨ  ＨＡＲＱ−ＡＣＫ情報を送ってもよい。
【０１８９】
図９は、セカンダリセル（ＳＣｅｌｌ）に対するＤＬ−参照ＵＬ／ＤＬ構成を定めるための方法９００の別の実施を示す流れ図である。この方法９００は、サービングセルに関連付けられた通信デバイスによって実行されてもよい。通信デバイスは、そのサービングセルと、１つまたはそれ以上の付加的なサービングセルとによって構成されたＵＥ１０２であってもよく、それらのサービングセルはＰＣｅｌｌおよび１つまたはそれ以上のＳＣｅｌｌを含んでもよい。複数のサービングセルは、キャリアアグリゲーション（ＣＡ）のために用いられてもよい。通信デバイスはｅＩＭＴＡをサポートしなくてもよい。たとえば通信デバイスは、レガシ（例、リリース８、９、１０および１１）ＵＥ１０２か、またはｅＩＭＴＡ能力を使用しないように構成された（例、ｅＩＭＴＡ能力がＦＡＬＳＥに設定された）リリース１２以降のＵＥ１０２であってもよい。さらに、通信デバイスはサービングセルに関連付けられたｅＮＢ１６０であってもよい。この実施において、サービングセルはＳＣｅｌｌであり、かつＵＥ１０２は動的ＵＬ／ＤＬ再構成をサポートしない。
【０１９０】
通信デバイスは、サービングセルがＳＣｅｌｌであると判定する（ステップ９０２）。たとえば、ｅＮＢ１６０はサービングセルをＳＣｅｌｌとして構成してもよい。ＵＥ１０２は、サービングセルがＳＣｅｌｌであることを示す表示をｅＮＢ１６０から受信してもよい。
【０１９１】
通信デバイスは、ＰＣｅｌｌが動的ＵＬ／ＤＬ再構成をサポートするかどうかを判定する（ステップ９０４）。ＰＣｅｌｌが動的ＵＬ／ＤＬ再構成をサポートし、かつＵＥ１０２がｅＩＭＴＡ能力を使用しないように構成されたリリース１２以降のＵＥ１０２であるとき、通信デバイスは、第１のＰＣｅｌｌ  ＵＬ／ＤＬ構成をＰＣｅｌｌ  ＵＬ／ＤＬ構成として使用する（ステップ９０６）。動的ＵＬ／ＤＬ再構成シグナリングを理解しないレガシＵＥ１０２は、第１のＰＣｅｌｌ  ＵＬ／ＤＬ構成のみを受信し、その第１のＰＣｅｌｌ  ＵＬ／ＤＬ構成をＰＣｅｌｌ  ＵＬ／ＤＬ構成として使用する。なお、サービングセルが動的ＵＬ／ＤＬ再構成をサポートする場合、サービングセルの現ＵＬ／ＤＬ構成は第１の（例、デフォルト）ＵＬ／ＤＬ構成と同じではないことがある。したがって、第１のＰＣｅｌｌ  ＵＬ／ＤＬ構成は、現ＰＣｅｌｌ  ＵＬ／ＤＬ構成と同じであってもなくてもよい。
【０１９２】
ＰＣｅｌｌが動的ＵＬ／ＤＬ再構成をサポートしないと通信デバイスが判定する（ステップ９０４）とき、通信デバイスは、ＰＣｅｌｌのＴＤＤ  ＰＣｅｌｌ  ＵＬ／ＤＬ構成をＰＣｅｌｌ  ＵＬ／ＤＬ構成として使用する（ステップ９０８）。言換えると、ＰＣｅｌｌがレガシサービングセルとして動作するとき、ＰＣｅｌｌの現在使用されているＵＬ／ＤＬ構成がＰＣｅｌｌ  ＵＬ／ＤＬ構成として使用される（ステップ９０８）。
【０１９３】
通信デバイスは、サービングセル（例、ＳＣｅｌｌ）が動的ＵＬ／ＤＬ再構成をサポートするかどうかを判定する（ステップ９１０）。サービングセルが動的ＵＬ／ＤＬ再構成をサポートし、かつＵＥ１０２がｅＩＭＴＡ能力を使用しないように構成されたリリース１２以降のＵＥ１０２であるとき、通信デバイスは、第１のＳＣｅｌｌ  ＵＬ／ＤＬ構成をＳＣｅｌｌ  ＵＬ／ＤＬ構成として使用する（ステップ９１２）。動的ＵＬ／ＤＬ再構成シグナリングを理解しないレガシＵＥ１０２は、第１のＳＣｅｌｌ  ＵＬ／ＤＬ構成のみを受信し、その第１のＳＣｅｌｌ  ＵＬ／ＤＬ構成をＳＣｅｌｌ  ＵＬ／ＤＬ構成として使用する。なお上述のとおり、サービングセルが動的ＵＬ／ＤＬ再構成をサポートする場合、サービングセルの現ＵＬ／ＤＬ構成は第１の（例、デフォルト）ＵＬ／ＤＬ構成と同じではないことがある。したがって、第１のＳＣｅｌｌ  ＵＬ／ＤＬ構成は、現ＳＣｅｌｌ  ＵＬ／ＤＬ構成と同じであってもなくてもよい。
【０１９４】
サービングセルが動的ＵＬ／ＤＬ再構成をサポートしないと通信デバイスが判定する（ステップ９１０）とき、通信デバイスは、ＳＣｅｌｌのＴＤＤ  ＵＬ／ＤＬ構成をＳＣｅｌｌ  ＵＬ／ＤＬ構成として使用する（ステップ９１４）。言換えると、サービングセルがレガシサービングセルとして動作するとき、サービングセルの現在使用されているＵＬ／ＤＬ構成がＳＣｅｌｌ  ＵＬ／ＤＬ構成として使用される（ステップ９１４）。
【０１９５】
通信デバイスは、上記表（１）に基づいてＳＣｅｌｌのＤＬ−参照ＵＬ／ＤＬ構成を定める（ステップ９１６）。なお、通信デバイスは、ＤＬ−参照ＵＬ／ＤＬ構成に基づくＰＤＳＣＨ  ＨＡＲＱ−ＡＣＫ情報を送信または受信してもよい。たとえばＵＥ１０２は、ＤＬ−参照ＵＬ／ＤＬ構成に関連付けられるダウンリンクサブフレームアソシエーションのセットに対応するアップリンクサブフレームにおいて、ｅＮＢ１６０にＰＤＳＣＨ  ＨＡＲＱ−ＡＣＫ情報を送ってもよい。
【０１９６】
図１０は、ＵＥ１００２において用いられ得るさまざまなコンポーネントを示す。図１０に関連して説明されるＵＥ１００２は、図１に関連して説明されるＵＥ１０２に従って実現されてもよい。ＵＥ１００２は、ＵＥ１００２の動作を制御するプロセッサ１０６３を含む。プロセッサ１０６３は、中央処理ユニット（ｃｅｎｔｒａｌ  ｐｒｏｃｅｓｓｉｎｇ  ｕｎｉｔ：ＣＰＵ）と呼ばれることもある。メモリ１０６９は、リードオンリメモリ（ｒｅａｄ−ｏｎｌｙ  ｍｅｍｏｒｙ：ＲＯＭ）、ランダムアクセスメモリ（ｒａｎｄｏｍ  ａｃｃｅｓｓ  ｍｅｍｏｒｙ：ＲＡＭ）、これら２つのメモリの組み合わせ、または情報を保存し得る任意のタイプのデバイスを含んでもよく、プロセッサ１０６３に命令１０６５ａおよびデータ１０６７ａを与える。メモリ１０６９の一部はさらに、不揮発性ランダムアクセスメモリ（ｎｏｎ−ｖｏｌａｔｉｌｅ  ｒａｎｄｏｍ  ａｃｃｅｓｓ  ｍｅｍｏｒｙ：ＮＶＲＡＭ）を含んでもよい。プロセッサ１０６３内にも命令１０６５ｂおよびデータ１０６７ｂが存在してもよい。プロセッサ１０６３にロードされる命令１０６５ｂおよび／またはデータ１０６７ｂは、プロセッサ１０６３による実行または処理のためにロードされたメモリ１０６９からの命令１０６５ａおよび／またはデータ１０６７ａも含み得る。命令１０６５ｂは、上述の方法２００、６００、７００、８００および９００の１つまたはそれ以上を実施するためにプロセッサ１０６３によって実行されてもよい。
【０１９７】
ＵＥ１００２はさらに、データの送信および受信を可能にするための１つまたはそれ以上の送信機１０５８および１つまたはそれ以上の受信機１０２０を含むハウジングを含んでもよい。送信機１０５８と受信機１０２０とが組み合わされて、１つまたはそれ以上のトランシーバ１０１８にされてもよい。１つまたはそれ以上のアンテナ１０２２ａ〜ｎは、ハウジングに取付けられて、トランシーバ１０１８に電気的に結合される。
【０１９８】
ＵＥ１００２のさまざまなコンポーネントはバスシステム１０７１によってともに結合されており、バスシステム１０７１は、データバスに加えて電力バス、制御信号バスおよびステータス信号バスを含んでもよい。しかし、明瞭にするために、図１０においてはさまざまなバスがバスシステム１０７１として示される。ＵＥ１００２はさらに、信号の処理に用いるためのデジタル信号プロセッサ（ｄｉｇｉｔａｌ  ｓｉｇｎａｌ  ｐｒｏｃｅｓｓｏｒ：ＤＳＰ）１０７３を含んでもよい。ＵＥ１００２はさらに、ＵＥ１００２の機能に対するユーザアクセスを提供する通信インタフェース１０７５を含んでもよい。図１０に示されるＵＥ１００２は、特定のコンポーネントのリストではなく、機能ブロック図である。
【０１９９】
図１１は、ｅＮＢ１１６０において用いられ得るさまざまなコンポーネントを示す。図１１に関連して説明されるｅＮＢ１１６０は、図１に関連して説明されるｅＮＢ１６０に従って実現されてもよい。ｅＮＢ１１６０は、ｅＮＢ１１６０の動作を制御するプロセッサ１１７７を含む。プロセッサ１１７７は、中央処理ユニット（ＣＰＵ）と呼ばれることもある。メモリ１１８３は、リードオンリメモリ（ＲＯＭ）、ランダムアクセスメモリ（ＲＡＭ）、これら２つのメモリの組み合わせ、または情報を保存し得る任意のタイプのデバイスを含んでもよく、プロセッサ１１７７に命令１１７９ａおよびデータ１１８１ａを与える。メモリ１１８３の一部はさらに、不揮発性ランダムアクセスメモリ（ＮＶＲＡＭ）を含んでもよい。プロセッサ１１７７内にも命令１１７９ｂおよびデータ１１８１ｂが存在してもよい。プロセッサ１１７７にロードされる命令１１７９ｂおよび／またはデータ１１８１ｂは、プロセッサ１１７７による実行または処理のためにロードされたメモリ１１８３からの命令１１７９ａおよび／またはデータ１１８１ａも含み得る。命令１１７９ｂは、上述の方法３００、６００、７００、８００および９００の１つまたはそれ以上を実施するためにプロセッサ１１７７によって実行されてもよい。
【０２００】
ｅＮＢ１１６０はさらに、データの送信および受信を可能にするための１つまたはそれ以上の送信機１１１７および１つまたはそれ以上の受信機１１７８を含むハウジングを含んでもよい。送信機１１１７と受信機１１７８とが組み合わされて、１つまたはそれ以上のトランシーバ１１７６にされてもよい。１つまたはそれ以上のアンテナ１１８０ａ〜ｎは、ハウジングに取付けられて、トランシーバ１１７６に電気的に結合される。
【０２０１】
ｅＮＢ１１６０のさまざまなコンポーネントはバスシステム１１８５によってともに結合されており、バスシステム１１８５は、データバスに加えて電力バス、制御信号バスおよびステータス信号バスを含んでもよい。しかし、明瞭にするために、図１１においてはさまざまなバスがバスシステム１１８５として示される。ｅＮＢ１１６０はさらに、信号の処理に用いるためのデジタル信号プロセッサ（ＤＳＰ）１１８７を含んでもよい。ｅＮＢ１１６０はさらに、ｅＮＢ１１６０の機能に対するユーザアクセスを提供する通信インタフェース１１８９を含んでもよい。図１１に示されるｅＮＢ１１６０は、特定のコンポーネントのリストではなく、機能ブロック図である。
【０２０２】
図１２は、フィードバックレポートのためのシステムおよび方法が実現され得るＵＥ１２０２の１つの構成を示すブロック図である。ＵＥ１２０２は、送信手段１２５８、受信手段１２２０、および制御手段１２２４を含む。送信手段１２５８、受信手段１２２０、および制御手段１２２４は、図２、図６、図７、図８、図９および図１０に関連して上述した機能の１つまたはそれ以上を実行するように構成されてもよい。上記図１０は、図１２の具体的装置構造の一例を示すものである。図２、図６、図７、図８、図９および図１０の機能の１つまたはそれ以上を具現化するために、その他のさまざまな構造が実現されてもよい。たとえば、ＤＳＰはソフトウェアによって具現化されてもよい。
【０２０３】
図１３は、フィードバックレポートのためのシステムおよび方法が実現され得るｅＮＢ１３６０の１つの構成を示すブロック図である。ｅＮＢ１３６０は、送信手段１３１７、受信手段１３７８、および制御手段１３８２を含む。送信手段１３１７、受信手段１３７８、および制御手段１３８２は、図３、図６、図７、図８、図９および図１１に関連して上述した機能の１つまたはそれ以上を実行するように構成されてもよい。上記図１１は、図１３の具体的装置構造の一例を示すものである。図３、図６、図７、図８、図９および図１１の機能の１つまたはそれ以上を具現化するために、その他のさまざまな構造が実現されてもよい。たとえば、ＤＳＰはソフトウェアによって具現化されてもよい。
【０２０４】
「コンピュータ読取り可能媒体」という用語は、コンピュータまたはプロセッサによるアクセスが可能なあらゆる利用可能な媒体を示す。本明細書において用いられる「コンピュータ読取り可能媒体」という用語は、非一時的かつ有形の、コンピュータおよび／またはプロセッサ読取り可能媒体を示し得る。限定ではなく例として、コンピュータ読取り可能媒体またはプロセッサ読取り可能媒体は、ＲＡＭ、ＲＯＭ、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ：ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ：ＣＤ−ＲＯＭ）もしくはその他の光ディスク記憶装置、磁気ディスク記憶装置もしくはその他の磁気記憶装置、または、命令もしくはデータ構造の形の所望のプログラムコードを保有もしくは保存するために使用でき、かつコンピュータもしくはプロセッサによるアクセスが可能なあらゆるその他の媒体を含んでもよい。本明細書において用いられるディスク（Ｄｉｓｋ）およびディスク（ｄｉｓｃ）は、コンパクトディスク（ＣＤ）、レーザディスク、光ディスク、デジタル多用途ディスク（ｄｉｇｉｔａｌ  ｖｅｒｓａｔｉｌｅ  ｄｉｓｃ：ＤＶＤ）、フロッピーディスク、およびＢｌｕ−ｒａｙ（登録商標）ディスクを含み、ここでディスク（ｄｉｓｋｓ）は通常磁気的にデータを再生するのに対し、ディスク（ｄｉｓｃｓ）はレーザによって光学的にデータを再生する。
【０２０５】
なお、本明細書に記載される方法の１つまたはそれ以上が、ハードウェアにおいて実現されるか、および／またはハードウェアを用いて実行されてもよい。たとえば、本明細書に記載される方法の１つまたはそれ以上が、チップセット、特定用途向け集積回路（ＡＳＩＣ）、大規模集積回路（ＬＳＩ）、もしくは集積回路などにおいて実現されるか、および／またはそうした回路を用いて具現化されてもよい。
【０２０６】
本明細書において開示される方法の各々は、記載される方法を達成するための１つまたはそれ以上のステップまたは動作を含む。この方法ステップおよび／または動作は、請求項の範囲から逸脱することなく、互いに交換されるか、および／または組み合わされて単一のステップにされてもよい。言換えると、記載される方法の適切な動作のためにステップまたは動作の特定の順序が必要でない限り、請求項の範囲から逸脱することなく、特定のステップおよび／または動作の順序および／または使用が変更されてもよい。
【０２０７】
請求項は、上に示した正確な構成およびコンポーネントに限定されないことが理解されるべきである。請求項の範囲から逸脱することなく、本明細書に記載されるシステム、方法、および装置の配置、動作、および詳細にさまざまな修正、変更および変形がなされてもよい。
【図１】
0006357164.tif 000009
【図２】
0006357164.tif 000010
【図３】
0006357164.tif 000011
【図４】
0006357164.tif 000012
【図５】
0006357164.tif 000013
【図６】
0006357164.tif 000014
【図７】
0006357164.tif 000015
【図８】
0006357164.tif 000016
【図９】
0006357164.tif 000017
【図１０】
0006357164.tif 000018
【図１１】
0006357164.tif 000019
【図１２】
0006357164.tif 000020
【図１３】
0006357164.tif 000021